(57)【要約】      （修正有）【課題】扉体を閉じたとき、特に扉体と下枠部との間の隙間の止水性を向上させることのできるヒンジ扉を提供する。【解決手段】ヒンジ扉は、洗浄水により被洗浄物を洗浄する洗浄空間を覆うハウジングに設けられ、洗浄空間に連通する開口を形成する略矩形状の開口枠と、略矩形状の開口枠に対応し、開口を閉じる開閉自在な略矩形状の扉体とを備えるヒンジ扉であって、扉体は、開口を閉じるように開閉自在な矩形状の本体部と、矩形状の本体部の底辺に沿うように取り付けられた下端部と、下端部を上下方向に移動可能とする移動機構と、を有し、略矩形状の扉体が閉じられた状態で、下端部を、略矩形状の開口枠の底辺を形成する下枠部の上方の位置である上位置から、下枠部に当接する位置である下位置へと、移動機構により移動させ、下端部と下枠部とを当接させることにより、扉体と下枠部との間の隙間からの洗浄水の漏れを防止することを特徴とする。【選択図】図３
2018191794.tif 000002
【特許請求の範囲】
【請求項１】
洗浄水により被洗浄物を洗浄する洗浄空間を覆うハウジングに設けられ、前記洗浄空間に連通する開口を形成する略矩形状の開口枠と、前記略矩形状の開口枠に対応し、前記開口を閉じる開閉自在な略矩形状の扉体とを備えるヒンジ扉であって、
前記扉体は、前記開口を閉じるように開閉自在な矩形状の本体部と、前記矩形状の本体部の底辺に沿うように取り付けられた下端部と、前記下端部を上下方向に移動可能とする移動機構と、を有し、
前記略矩形状の扉体が閉じられた状態で、
前記下端部を、前記略矩形状の開口枠の底辺を形成する下枠部の上方の位置である上位置から、前記下枠部に当接する位置である下位置へと、前記移動機構により移動させ、前記下端部と前記下枠部とを当接させることにより、前記扉体と前記下枠部との間の隙間からの洗浄水の漏れを防止することを特徴とするヒンジ扉。
【請求項２】
扉体が閉じられた状態で、下端部を下位置へと移動させ、前記下端部と前記下枠部とを係合させることにより、前記扉体を開けることができない施錠状態に保つことができることを特徴とする請求項１に記載のヒンジ扉。
【請求項３】
扉体は開閉自在となるように、開口枠の右枠部または左枠部へとヒンジにより取り付けられ、
下端部は樋状に形成されて前記扉体に飛散した洗浄水を受ける下端部樋状部を有し、
前記下端部樋状部は、一方端側に前記下端部樋状部に受けた洗浄水を流出させる下端部流水口と、前記下端部流水口と反対側となる他方端側に、前記下端部樋状部に受けた洗浄水の流出を防止する流水防止壁と、
を備えることを特徴とする請求項１または請求項２に記載のヒンジ扉。
【請求項４】
下端部樋状部は、下端部流水口をヒンジ側となる一方端側に有し、流水防止壁を下端部流水口と反対側となる他方端側に有して、
ヒンジ扉の上面視で、
扉体が閉じられた状態から、前記下端部流水口と下枠部とを重なるように位置させつつ、所定の位置まで扉体を開くことを可能とすることを特徴とする請求項３に記載のヒンジ扉。
【請求項５】
下端部の、下端部流水口側を流水防止壁側より低くなるように傾斜させることを特徴とする請求項３または４に記載のヒンジ扉。
【請求項６】
扉体の本体部は、洗浄空間に向く内面の少なくとも下部に水返部を備え、
前記水返部は下枠部より高い位置で洗浄空間側に突出し、樋状に形成されて洗浄水を受ける水返樋状部を有することを特徴とする請求項１〜５のいずれか一項に記載のヒンジ扉。
【請求項７】
扉体は本体部の外側に回転可能な取手部を備え、
移動機構は、取手部を回転することにより、下端部を上位置と下位置とに移動させることを特徴とする請求項１〜６のいずれか一項に記載のヒンジ扉。
【請求項８】
取手部を所定の位置まで回転することにより、下端部を上位置に移動し、前記上位置に保持することを特徴とする請求項７に記載のヒンジ扉。
【請求項９】
開口を閉じる開閉自在な略矩形状の扉体は、観音開きの一対の扉体であり、
前記一対の扉体はそれぞれ、下端部と移動機構とを備えることを特徴とする請求項１〜８のいずれか一項に記載のヒンジ扉。
【請求項１０】
請求項１〜９のいずれか一項に記載のヒンジ扉を備えることを特徴とする洗浄装置。
【請求項１１】
請求項１〜９のいずれか一項に記載のヒンジ扉の取付方法であって、
本体部に移動機構を設けること、
前記移動機構に下端部を結合すること、
前記本体部をハウジングに取り付けることを含むヒンジ扉の取付方法。
【請求項１２】
請求項１〜９のいずれか一項に記載のヒンジ扉を備える洗浄装置の清掃方法であって、
洗浄空間で被洗浄物を洗浄するために噴射される洗浄水の噴射を停止すること、
移動機構により下端部を上方に移動すること、
扉体を開いて前記洗浄装置の内部を清掃することを含む洗浄装置の清掃方法。
【発明の詳細な説明】
【技術分野】
【０００１】
本発明は、ヒンジ扉、食器類等を洗浄する洗浄装置、ヒンジ扉の取付方法、洗浄装置の清掃方法に関するものである。
【背景技術】
【０００２】
従来、被洗浄物に大量の洗浄水をノズルから噴射して被洗浄物を洗浄する洗浄装置がある。そのような洗浄装置の多くは、ドライシステムと呼ばれる方式を採用した施設内に設置されている。ドライシステムとは、床面を乾燥状態で使用することにより、細菌や害虫の繁殖を抑制する厨房環境に関する方式である。ドライシステムを採用した環境では床面を可能な限り水で濡らすことなく洗浄装置を使用する。そのような洗浄装置として、以下のものが知られている。
【０００３】
特許文献１に記載された洗浄装置は、ハウジング内に被洗浄物を洗浄する洗浄空間を有し、ハウジングに洗浄空間へと連通する開口を形成して、その開口を閉じるように、両開き扉であるヒンジ扉を取り付けたものである。このヒンジ扉の内側には水受部として流水溝が設けられ、扉の内側に飛散した洗浄水の滴を受けて洗浄空間に戻す構造となっている。
【０００４】
このヒンジ扉では、両開きとなるように２つの戸板（本体部）を抜きヒンジ（抜き差しヒンジ）を介して取り付けている。抜きヒンジは、ヒンジピンを有した下部側のヒンジスリーブ（ヒンジプレート）がハウジングに固定され、上部側のヒンジスリーブ（ヒンジプレート）が戸板に固定されて、前記したヒンジピンに上部側のヒンジスリーブが抜差可能になっている。
【０００５】
このヒンジ扉では、戸板の下縁と枠とは相互に対応したテーパ面となっており、抜きヒンジにより戸板が上下動可能となっているため、ヒンジ扉を閉じるとき、開口を形成する枠に戸板が落ち込んで嵌まり、戸板の下縁のテーパ面と、枠のテーパ面とが当接する構造となっている。
【０００６】
戸板を閉じて戸板の下縁のテーパ面と枠のテーパ面とを当接させることにより、戸板の下縁のテーパ面とハウジングのテーパ面とで止水され、戸板の下縁のテーパ面とハウジングのテーパ面との間の隙間から、洗浄空間で噴射され被洗浄物に当たってヒンジ扉に向けて飛散した洗浄水が、ハウジングの外側に漏れ出ないように止水性を向上させている。
【先行技術文献】
【特許文献】
【０００７】
【特許文献１】特開２００５−２４５８９９号公報
【発明の概要】
【発明が解決しようとする課題】
【０００８】
しかし、特許文献１に記載されたものは、閉じた戸板のテーパ面と枠のテーパ面とが面で当接しており、面の全面にわたって密閉性を確保するのが困難である。そのため、戸板のテーパ面と枠のテーパ面との間に隙間ができ、その隙間から洗浄水が漏れ出す、もしくはにじみ出てしまうという課題を有していた。また、ハウジングに戸板が落ち込んでいるため、ヒンジ扉を開くときに戸板を上方に持ち上げつつ手前に引く必要があり、戸板の重量を支えながら開く必要があるという課題を有していた。また、ヒンジ扉を閉めるとき、戸板がハウジングのテーパ面を急激に落下して、ハウジングのテーパ面に付着している洗浄水を跳ね飛ばし、洗浄水が床に落下してしまう、または作業者の衣服を汚すという課題を有していた。
【０００９】
本発明は、扉体を閉じたとき、特に扉体と下枠部との間の隙間の止水性を向上させることのできるヒンジ扉、ヒンジ扉を備えた洗浄装置、ヒンジ扉の取付方法、ヒンジ扉を備えた洗浄装置の清掃方法を提供することを目的とする。
【課題を解決するための手段】
【００１０】
上記目的を解決するために、本発明に係るヒンジ扉は、洗浄水により被洗浄物を洗浄する洗浄空間を覆うハウジングに設けられ、前記洗浄空間に連通する開口を形成する略矩形状の開口枠と、前記略矩形状の開口枠に対応し、前記開口を閉じる開閉自在な略矩形状の扉体とを備えるヒンジ扉であって、前記扉体は、前記開口を閉じるように開閉自在な矩形状の本体部と、前記矩形状の本体部の底辺に沿うように取り付けられた下端部と、前記下端部を上下方向に移動可能とする移動機構と、を有し、前記略矩形状の扉体が閉じられた状態で、前記下端部を、前記略矩形状の開口枠の底辺を形成する下枠部の上方の位置である上位置から、前記下枠部に当接する位置である下位置へと、前記移動機構により移動させ、前記下端部と前記下枠部とを当接させることにより、前記扉体と前記下枠部との間の隙間からの洗浄水の漏れを防止することを特徴とする。
【００１１】
また、本発明に係る洗浄装置は、上記ヒンジ扉を備えることを特徴とする。
【００１２】
また、本発明に係るヒンジ扉の取付方法は、本体部に移動機構を設けること、前記移動機構に下端部を結合すること、前記本体部をハウジングに取り付けることを含むものである。
【００１３】
また、本発明に係るヒンジ扉を備える洗浄装置の清掃方法は、洗浄空間で被洗浄物を洗浄するために噴射される洗浄水の噴射を停止すること、移動機構により下端部を上方に移動すること、扉体を開いて前記洗浄装置の内部を清掃することを含むものである。
【発明の効果】
【００１４】
本発明のヒンジ扉によれば、扉体を閉じたとき、特に扉体と下枠部との間の隙間の止水性を向上させることができる。
【００１５】
本発明の洗浄装置によれば、ハウジングに設けられたヒンジ扉の扉体と下枠部との間の隙間からの洗浄水の漏れを防止することができる。
【００１６】
本発明のヒンジ扉の取付方法によれば、扉体と下枠部との間の隙間からの洗浄水の漏れを防止することができるヒンジ扉を、洗浄装置のハウジングへ容易に取り付けることができる。
【００１７】
本発明のヒンジ扉を備える洗浄装置の清掃方法によれば、扉体と下枠部との間の隙間からの洗浄水の漏れを防止することができるヒンジ扉を開いて、洗浄装置内を容易に清掃することができる。
【図面の簡単な説明】
【００１８】
【図１】本発明の一実施形態の洗浄装置の全体的な構成を示す正面図。
【図２】洗浄装置の実施形態１に係るヒンジ扉の右扉を開いた状態を示す正面図。
【図３】実施形態１に係るヒンジ扉を示す斜視図で、（Ａ）は扉体が閉じられた状態のヒンジ扉の斜視図、（Ｂ）は扉体が開かれた状態のヒンジ扉の斜視図、（Ｃ）は扉体を取り外した状態の開口枠を示す斜視図。
【図４】ヒンジ扉の開口枠の上枠部を示し、（Ａ）は扉体を取り外した状態の上枠部を示す側断面図（ハッチング省略）、（Ｂ）は扉体が閉じられた状態の扉体と上枠部を示す側断面図（ハッチング省略）。
【図５】ヒンジ扉の開口枠の左枠部を示し、（Ａ）は扉体が開かれた状態の左枠部を示す平断面図（ハッチング省略）、（Ｂ）は扉体が閉じられた状態の左枠部を示す平断面図（ハッチング省略）。
【図６】ヒンジ扉の開口枠の右枠部を示し、（Ａ）は扉体が開かれた状態の右枠部を示す平断面図（ハッチング省略）、（Ｂ）は扉体が閉じられた状態の右枠部を示す平断面図（ハッチング省略）。
【図７】ヒンジ扉の扉体と開口枠の下枠部を示し、（Ａ）は扉体が開かれた状態の下枠部を示す側断面図（ハッチング省略）、（Ｂ）は扉体が閉じられて下端部を上位置に移動させた状態の下枠部を示す側断面図（ハッチング省略）、（Ｃ）は扉体が閉じられて下端部が下位置に保持された状態の下枠部を示す側断面図（ハッチング省略）。
【図８】ヒンジ扉の右扉体を示す分解斜視図。
【図９】右扉体の外板構成体を示す背面図。
【図１０】右扉体の下端部を示す斜視図。
【図１１】ヒンジ扉の開口枠の中央部を示し、（Ａ）は左扉体右部を示す平断面図（ハッチング省略）、（Ｂ）は右扉体左部を示す平断面図（ハッチング省略）、（Ｃ）は扉体が閉じられた状態の左扉体右部および右扉体左部を示す平断面図（ハッチング省略）。
【図１２】ヒンジ扉の移動機構および接続機構の動作を説明するための背面図を示し、（Ａ）は、下端部が上位置に保持された状態を示し、（Ｂ）は、下端部が上位置から下位置に移動する途中の状態を示し、（Ｃ）は、下端部が下位置に保持された状態を示す。
【図１３】図１２の移動機構の横桟折返部とブラケット部との関係を説明するための一部拡大構成図を示し、（Ａ）は、下端部が上位置に保持されたときの横桟折返部とブラケット部との状態を示し、（Ｂ）は、下端部が上位置から下位置に移動する途中の横桟折返部とブラケット部との状態を示し、（Ｃ）は、下端部が下位置に保持されたときの横桟折返部とブラケット部との状態を示す。
【図１４】ヒンジ扉の移動機構および接続機構の動作を説明するための概念図。
【図１５】洗浄空間から飛散する洗浄水の流れを説明するための右扉体の下端部を示す側断面図（ハッチング省略）。
【図１６】ヒンジ扉の下角部を示す斜視図。
【図１７】水返樋状部および下端部樋状部と下枠部との関係を説明するための概念としての平面断面図。
【図１８】洗浄装置の実施形態２に係るヒンジ扉を示し、（Ａ）は、扉体が開かれた状態のヒンジ扉を示す正面図、（Ｂ）は、扉体が閉じられた状態のヒンジ扉を示す正面図。
【図１９】実施形態２に係るヒンジ扉の開口枠の左枠部を示し、（Ａ）は扉体が開かれた状態の左枠部を示す平断面図（ハッチング省略）、（Ｂ）は扉体が閉じられた状態の左枠部と扉体とを示す平断面図。
【図２０】ヒンジ扉の変形例１を示す扉体と開口枠の下枠部の側断面図（ハッチング省略）。
【図２１】ヒンジ扉の変形例２を示す扉体と開口枠の下枠部の側断面図（ハッチング省略）。
【発明を実施するための形態】
【００１９】
本発明の請求項１に記載の発明は、洗浄水により被洗浄物を洗浄する洗浄空間を覆うハウジングに設けられ、前記洗浄空間に連通する開口を形成する略矩形状の開口枠と、前記略矩形状の開口枠に対応し、前記開口を閉じる開閉自在な略矩形状の扉体とを備えるヒンジ扉であって、前記扉体は、前記開口を閉じるように開閉自在な矩形状の本体部と、前記矩形状の本体部の底辺に沿うように取り付けられた下端部と、前記下端部を上下方向に移動可能とする移動機構と、を有し、前記略矩形状の扉体が閉じられた状態で、前記下端部を、前記略矩形状の開口枠の底辺を形成する下枠部の上方の位置である上位置から、前記下枠部に当接する位置である下位置へと、前記移動機構により移動させ、前記下端部と前記下枠部とを当接させることにより、前記扉体と前記下枠部との間の隙間からの洗浄水の漏れを防止することを特徴とするヒンジ扉としたものである。
【００２０】
このヒンジ扉によれば、略矩形状の扉体が閉じられた状態で、下端部を下位置へと移動させ、下端部と下枠部とを当接させるだけで、特に扉体と下枠部との間の隙間の止水性を向上させることができる。これにより、洗浄空間内で飛散した洗浄水が、特に扉体と下枠部との間の隙間から、ハウジングの外側へと漏れ出ることを防止することができる。したがって、ドライシステムを採用している環境で床面を洗浄水で濡らしてしまうことを防ぐことができる。
【００２１】
本発明の請求項２に記載の発明は請求項１に記載の発明において、扉体が閉じられた状態で、下端部を下位置へと移動させ、前記下端部と前記下枠部とを係合させることにより、前記扉体を開けることができない施錠状態に保つことができることを特徴とするヒンジ扉としたものである。
【００２２】
このヒンジ扉によれば、扉体が閉じられた状態で下端部を下位置に移動するだけで、下端部と下枠部とを当接させることができるとともに、下端部と下枠部とを係合させ、扉体を施錠状態とすることができる。それにより、洗浄空間内で被洗浄物を洗浄水で洗浄しているとき、誤って扉体が開くことを防止することができる。
【００２３】
本発明の請求項３に記載の発明は請求項１または２に記載の発明において、扉体は開閉自在となるように、開口枠の右枠部または左枠部へとヒンジにより取り付けられ、下端部は樋状に形成されて前記扉体に飛散した洗浄水を受ける下端部樋状部を有し、前記下端部樋状部は、一方端側に前記下端部樋状部に受けた洗浄水を流出させる下端部流水口と、前記下端部流水口と反対側となる他方端側に、前記下端部樋状部に受けた洗浄水の流出を防止する流水防止壁と、を備えることを特徴とするヒンジ扉としたものである。
【００２４】
このヒンジ扉によれば、扉体へと飛散した洗浄水を下端部樋状部により受けて、洗浄水の勢いを弱め、下端部樋状部の一方端側に備える下端部流水口から流すことができる。これにより、扉体に飛散する洗浄水の勢いが強くとも、確実に洗浄水が扉体と下枠部との間の隙間から漏れ出ることを防止することができる。
【００２５】
本発明の請求項４に記載の発明は請求項３に記載の発明において、下端部樋状部は、下端部流水口をヒンジ側となる一方端側に有し、流水防止壁を下端部流水口と反対側となる他方端側に有して、ヒンジ扉の上面視で、扉体が閉じられた状態から、前記下端部流水口と下枠部とを重なるように位置させつつ、所定の位置まで扉体を開くことを可能とすることを特徴とするヒンジ扉としたものである。
【００２６】
このヒンジ扉によれば、下枠部樋状部に洗浄水が残っているとき、所定の位置まで扉体を開いても、下端部流水口と下枠部とが重なるように位置しているため、下端部樋状部に受けた洗浄水を下端部流水口から下枠部へと流すことができる。そして、扉を開く際にも、床面を洗浄水で濡らしてしまうことを防ぐことができる。
【００２７】
本発明の請求項５に記載の発明は請求項３または４に記載の発明において、下端部の、下端部流水口側を流水防止壁側より低くなるように傾斜させることを特徴とするヒンジ扉としたものである。
【００２８】
このヒンジ扉によれば、下端部流水口側を流水防止壁側より低くすることで、下端部樋状部に受けた洗浄水を円滑に下端部流水口から流し出すことができる。
【００２９】
本発明の請求項６に記載の発明は請求項１〜５に記載の発明において、扉体の本体部は、洗浄空間に向く内面の少なくとも下部に水返部を備え、前記水返部は下枠部より高い位置で洗浄空間側に突出し、樋状に形成されて洗浄水を受ける水返樋状部を有することを特徴とするヒンジ扉としたものである。
【００３０】
このヒンジ扉によれば、扉体へと飛散した洗浄水を、水返樋状部を有する水返部により受けて、扉体と下枠部との間の隙間への飛散する洗浄水の勢いを弱めることができる。
【００３１】
本発明の請求項７に記載の発明は請求項１〜６に記載の発明において、扉体は本体部の外側に回転可能な取手部を備え、移動機構は、取手部を回転することにより、下端部を上位置と下位置とに移動させることを特徴とするヒンジ扉としたものである。
【００３２】
このヒンジ扉によれば、扉体が閉じられた状態で、取手部のハンドルを回転するだけで、下端部を下位置に移動させ、扉体の底辺と下枠との間の隙間から洗浄水が漏れ出ることを防止することができる。また、下端部が下位置にあるとき、取手部のハンドルを回転するだけで、下端部を上位置へと移動させることができる。
【００３３】
本発明の請求項８に記載の発明は請求項７に記載の発明において、取手部を所定の位置まで回転することにより、下端部を上位置に移動し、前記上位置に保持することを特徴とするヒンジ扉としたものである。
【００３４】
このヒンジ扉によれば、扉体が閉じられた状態で、下端部が下位置にあるとき、取手部のハンドルを所定の角度まで回転して、下端部を上位置に移動して下端部と下枠部との当接を解除し、その状態を保持することができる。したがって、下端部を上位置に保持したまま扉体を開くことができるので、操作性に優れたヒンジ扉とすることができる。
【００３５】
本発明の請求項９に記載の発明は請求項１〜８に記載の発明において、開口を閉じる開閉自在な略矩形状の扉体は、観音開きの一対の扉体であり、前記一対の扉体はそれぞれ、下端部と移動機構とを備えることを特徴とするヒンジ扉としたものである。
【００３６】
このヒンジ扉によれば、観音扉の一対の扉体と下枠との間の隙間からの洗浄水の漏れを防止することができるので、開口の大きさに対して、それぞれの扉体を小型化することができる。
【００３７】
本発明の請求項１０に記載の発明は、請求項１〜９のいずれか一項に記載のヒンジ扉を備えることを特徴とする洗浄装置とするものである。
【００３８】
この洗浄装置によれば、ハウジングに設けたヒンジ扉の、扉体と下枠部との間の隙間から、洗浄水が漏れ出すことを防止することができる。
【００３９】
本発明の請求項１１に記載の発明は、請求項１〜９のいずれか一項に記載のヒンジ扉の取付方法であって、本体部に移動機構を設けること、前記移動機構に下端部を結合すること、前記本体部をハウジングに取り付けることを含むヒンジ扉の取付方法とするものである。
【００４０】
このヒンジ扉の取付方法によれば、扉体と下枠部との間の隙間からの洗浄水の漏れを防止することができるヒンジ扉を、洗浄装置のハウジングへ容易に取り付けることができる。
【００４１】
本発明の請求項１２に記載の発明は、請求項１〜９のいずれか一項に記載のヒンジ扉を備える洗浄装置の清掃方法であって、洗浄空間で被洗浄物を洗浄するために噴射される洗浄水の噴射を停止すること、移動機構により下端部を上方に移動すること、扉体を開いて前記洗浄装置の内部を清掃することを含む洗浄装置の清掃方法とするものである。
【００４２】
この洗浄装置の清掃方法によれば、扉体と下枠部との間の隙間からの洗浄水の漏れを防止することができるヒンジ扉を開いて、洗浄装置内を容易に清掃することができる。
【００４３】
（実施形態１）
まず、本発明の洗浄装置Ｗについて、基本的な構成を説明する。
【００４４】
本明細書において、洗浄装置のハウジングに形成された開口に対して、洗浄空間に向かう方向を「奥方向」とし、洗浄空間から開口に向かう方向を「手前方向」とし、開口から奥方向を見て右方向を「右方向」とし、左方向を「左方向」とする。また、特に断りがない場合に、方向の定義は、扉体が閉じられた状態を想定して説明する。
【００４５】
（洗浄装置）
本発明の実施形態に係る洗浄装置Ｗは、食器、スプーン、杓子、トレイ、食缶等の食器類を被洗浄物Ｇとして、所定の温度、例えば略６０度Ｃの洗浄水をノズルから噴射することにより被洗浄物Ｇを個別に洗浄する。なお、被洗浄物Ｇは篭に収容された状態で洗浄水を噴射し、洗浄するものとしてもよい。また、洗浄水はノズルから噴射することなく、被洗浄物Ｇの上方から洗浄水を流し落として、洗浄物Ｇを洗浄してもよい。
【００４６】
図１に示すように、洗浄装置Ｗは、ノズルＮから洗浄水を被洗浄物Ｇに噴射して被洗浄物Ｇを洗浄するための洗浄空間Ｓを覆うハウジングＨと、ハウジングＨの側面に設けた複数のヒンジ扉１と、一対のスプロケットｑの間で循環走行する無端コンベアからなる搬送装置Ｄと、洗浄水を受ける洗浄タンクＴとを備える。
【００４７】
洗浄装置Ｗは、ハウジングＨ内の洗浄空間Ｓで被洗浄物Ｇを搬送装置Ｄにより搬送しつつ、高圧で噴射する洗浄水により洗浄する。ハウジングＨは、被洗浄物Ｇを洗浄するために噴射された洗浄水をハウジングＨの外側に飛散させないように、洗浄空間Ｓを覆うように設けている。また、ハウジングＨ内の洗浄空間Ｓの下部には、洗浄水を受ける洗浄タンクＴを設けている。洗浄装置ＷのハウジングＨは、洗浄水により腐食することがなく衛生面で優れたステンレスを材料とする。
【００４８】
ハウジングＨの側面に設けた複数のヒンジ扉１は、洗浄空間Ｓ内で被洗浄物Ｇの洗浄を行う前に閉じる。そして、被洗浄物Ｇに噴射された洗浄水が、開口２を通じてハウジングＨの外側に飛散するのを防止する。また、被洗浄物Ｇの洗浄前後には洗浄空間Ｓ内の清掃、点検等をするため、ヒンジ扉１を開いて、開口２を通じてハウジングＨの内部と外部とを連通させる。
【００４９】
（ヒンジ扉）
図２、図３（Ａ）および（Ｂ）に示すように、ヒンジ扉１は、洗浄空間Ｓに連通し、ハウジングＨの側面に形成された開口２を形成する略矩形状の開口枠１００と、開口枠１００の開口２を閉じる一対の略矩形状の扉体である左扉体２００、右扉体３００とを備える。
【００５０】
本実施形態において、開口枠１００は、左右対称に配置された左扉体２００および右扉体３００によって閉じられる。一対の扉体である左扉体２００、右扉体３００は、左右対称に開閉する、いわゆる観音扉である。左扉体２００および右扉体３００を開いたとき、開口枠１００は、洗浄空間Ｓに連通する略矩形状の開口２を形成する。
【００５１】
（開口枠）
図３（Ｃ）に示すように、開口枠１００は、ハウジングＨの側面に設けられた上枠部１１０、左枠部１２０、右枠部１３０、および下枠部１４０からなり、上枠部１１０、左枠部１２０、右枠部１３０、および下枠部１４０をそれぞれ、開口２の上辺、側辺、底辺に沿うように有する。開口枠１００の左枠部１２０および右枠部１３０には、それぞれ、ヒンジｔにより左扉体２００および右扉体３００が開閉自在となるように取り付けられる。ヒンジｔは開口枠１００と左扉体２００および右扉体３００とを着脱自在とする抜き差し蝶番であり、上下に間隔をおいて２つ取り付けている。
【００５２】
上枠部１１０は、左右方向に左端から右端まで同一の断面形状が連続するように形成され、左端が左枠部１２０の上端に連続し、右端が右枠部１３０の上端に連続する。また、開口枠１００は、上枠部１１０の略中央から下方に延びて下枠部１４０の略中央に及ぶ仮想的な中央線ｉを有し、中央線ｉで左扉体２００の右端と右扉体３００の左端とは近接して閉じられる。
【００５３】
また、図４（Ａ）に示すように、上枠部１１０は、ハウジングＨの上面１０と、上面１０の手前端から下方向に延在する第１の上枠延在部１１１と、第１の上枠延在部１１１の下端から奥方向に延在する第２の上枠延在部１１２と、第２の上枠延在部１１２の奥端から上方向に延在する第３の上枠延在部１１３とを備える。
【００５４】
第１〜第３の上枠延在部１１１〜１１３は、上方に開放する上枠コ字状部１１４を左右方向に同一の断面形状が連続するように形成する。第２の上枠延在部１１２の下面は開口２の上辺を規定する。本実施形態において、第１〜第３の上枠延在部１１１〜１１３は、ハウジングＨの上面１０から連続して一枚の板状部材が折り曲げられ、左右方向に同一の断面形状が連続するように形成されている。
【００５５】
図３（Ｃ）に示すように、左枠部１２０は、上下方向に同一の断面形状が連続するように形成され、上端で上枠部１１０の左端に連続し、また、下端で下枠部１４０の左端に連続する。左枠部１２０には、左扉体２００が開閉自在となるように、ヒンジｔを上下に間隔をおいて２つ取り付けている。
【００５６】
また、図５（Ａ）に示すように、左枠部１２０は、ハウジングＨの側面左部２０と、側面左部２０の右端から奥方向に延在する第１の左枠延在部１２１と、第１の左枠延在部１２１の奥端から右方向に延在する第２の左枠延在部１２２と、第２の左枠延在部１２２の右端から奥方向に延在する第３の左枠延在部１２３とを備える。
【００５７】
本実施形態において、第１〜第３の左枠延在部１２１〜１２３は、ハウジングＨの側面左部２０から連続して一枚の板状部材が折り曲げられ、上下方向に同一の断面形状が連続するように形成されている。
【００５８】
また、左枠部１２０は、上下方向に同一の断面形状が連続するように形成される左枠Ｌ字状部１２８を備える。左枠Ｌ字状部１２８は、第３の左枠延在部１２３と上下方向で略同一の長さである。また、左枠Ｌ字状部１２８は、奥端から手前方向に延在し、第３の左枠延在部１２３に面で結合する第４の左枠延在部１２４と、第４の左枠延在部１２４の手前端から右方向に延在する第５の左枠延在部１２５とを有する。
【００５９】
第５の左枠延在部１２５は、第２の左枠延在部１２２と組み合わさり、左扉体２００の内面２０１を受ける左枠平面１２６を形成する。本実施形態において、第４および第５の左枠延在部１２４、１２５は、一枚の板状部材を折り曲げて、同一の断面形状が連続するように形成されている。
【００６０】
第１の左枠延在部１２１には、ヒンジｔを取り付けている。また、第１〜第３の左枠延在部１２１〜１２３は、左扉体左部２２０を受ける左枠段部１２７を上下方向に同一の断面形状が連続するように形成する。左枠段部１２７と左枠Ｌ字状部１２８とは、ボルトとナットのような結合手段（図示なし）により、第４の左枠延在部１２４と第３の左枠延在部１２３とを面で接触させて結合する。
【００６１】
図３（Ｃ）に示すように、右枠部１３０は、上下方向に同一の断面形状が連続するように形成され、上端で上枠部１１０の右端に連続し、また、下端で下枠部１４０の右端に連続する。右枠部１３０には、右扉体３００が開閉自在となるように、ヒンジｔを上下に間隔をおいて２つ取り付けている。
【００６２】
図６（Ａ）に示すように、右枠部１３０は、ハウジングＨの側面右部３０と、側面右部３０の左端から奥方向に延在する第１の右枠延在部１３１と、第１の右枠延在部１３１の奥端から左方向に延在する第２の右枠延在部１３２と、第２の右枠延在部１３２の左端から奥方向に延在する第３の右枠延在部１３３とを備える。
【００６３】
本実施形態において、第１〜第３の右枠延在部１３１〜１３３は、側面右部３０から連続して一枚の板状部材を折り曲げ、上下方向に同一の断面形状が連続するように形成している。
【００６４】
また、右枠部１３０は、上下方向で同一の断面形状が連続するように形成される右枠Ｌ字状部１３８を備える。右枠Ｌ字状部１３８は、第３の右枠延在部１３３と上下方向で略同一の長さである。また、右枠Ｌ字状部１３８は、第３の右枠延在部１３３の奥端から手前方向に延在し、第３の右枠延在部１３３に面で結合する第４の右枠延在部１３４と、第４の右枠延在部１３４の手前端から左方向に延在する第５の右枠延在部１３５とを有する。
【００６５】
第５の右枠延在部１３５は、第２の右枠延在部１３２と組み合わさり、右扉体３００の内面３０１を受ける右枠平面１３６を形成する。本実施形態において、第４および第５の右枠延在部１３４、１３５は、一枚の板状部材を折り曲げ、上下方向に同一の断面形状が連続するように形成されている。
【００６６】
第１の右枠延在部１３１には、ヒンジｔを取り付けている。また、第１〜第３の右枠延在部１３１〜１３３は、右扉体右部３３０を受ける右枠段部１３７を上下方向に同一の断面形状が連続するように形成する。右枠段部１３７と右枠Ｌ字状部１３８とは、ボルトとナットのような結合手段（図示なし）により、第４の右枠延在部１３４と第３の右枠延在部１３３とを面で当接させて結合している。
【００６７】
図３（Ｃ）に示すように、下枠部１４０は、左右方向（水平方向）に左端から右端まで同一の断面形状が連続するように形成され、左端が左枠部１２０の下端に連続し、右端が右枠部１３０の下端に連続する。
【００６８】
図７（Ａ）に示すように、下枠部１４０は、ハウジングＨの側面下部４０から接続し、下方から上方に延在する第１の下枠延在部１４１と、第１の下枠延在部１４１の上端から奥方向および下方向の斜めに延在する第２の下枠延在部１４２と、第１の下枠延在部１４１の下端から奥方向に延在する第３の下枠延在部１４３とを備える。第１〜第３の下枠延在部１４１〜１４３は、一枚の板状部材が折り曲げられて形成されており、左右方向に同一の断面形状が連続するように形成する。第１の下枠延在部１４１の上端は開口２の底辺となる。
【００６９】
また、下枠部１４０は、第３の下枠延在部１４３の上面において手前から奥方向に延在する第４の下枠延在部１４４と、第４の下枠延在部１４４の奥端から上方向に延在する第５の下枠延在部１４５とを備え、これら第４の下枠延在部１４４と第５の下枠延在部１４５とは下枠Ｌ字状部１４６を形成している。
【００７０】
第４および第５の下枠延在部１４４、１４５は、一枚の板状部材が折り曲げられて形成され、また当該一枚の板状部材は第５の下枠延在部１４５の上端にて折り返されている。これにより、下枠Ｌ字状部１４６の強度を向上し、形状を維持しやすくすることができる。第４および第５の下枠延在部１４４、１４５は、折り曲げられた形状を維持して左右方向に同一の断面形状が連続するように形成される。第１〜第５の下枠延在部１４１〜１４５は、上方に開放する下枠樋状部１４７を左右方向に同一の断面形状が連続するように形成する。
【００７１】
（扉体）
図３（Ａ）および（Ｂ）に示すように、一対の扉体である左扉体２００、右扉体３００において、左扉体２００は左枠部１２０に、右扉体３００は右枠部１３０に、それぞれ一対のヒンジｔにより取り付けられている。左扉体２００と右扉体３００は、取手部ｐの把持する部位であるハンドル（符号なし）を把持して、それぞれ一対のヒンジｔの上下方向の軸（図示なし）を中心に回転させて、開閉することができる。
【００７２】
両取手部ｐは、左扉体２００および右扉体３００の中央線ｉ寄りの位置に設けられており、中央線ｉを挟んで肩幅程度の間隔をおいて取り付けられている。両取手部ｐはハンドルを把持することで、ハンドルが鉛直方向から、左扉体２００の取手部ｐは右回り（時計回り）に、右扉体３００の取手部ｐは左回り（反時計回り）に略９０度の範囲で回転可能となるように取り付けられている。
【００７３】
以下、左扉体２００、右扉体３００でそれぞれ共通する構成について右扉体３００を例に、図７〜図１０を参照ながら説明する。
【００７４】
図８に示すように、右扉体３００は、内板構成体３６０および外板構成体３７０からなる本体部３８０と、本体部３８０の外板構成体３７０に設けられた下端部４１０と、移動機構４２０と、接続機構４３０とを備える。内板構成体３６０と外板構成体３７０とは、略同一の矩形状の、内板外周枠３６２と外板外周枠３７２とを有する。本体部３８０は、開口２に対応した矩形状に形成し、下端部４１０は矩形状の本体部３８０の底辺に沿って、長手方向の長さを矩形状の本体部３８０の底辺と略同じ長さとして、本体部３８０の下部に設けられる。
【００７５】
内板構成体３６０は洗浄空間に面するように内面３０１を有し、外板構成体３７０はハウジングＨの外側に面するように外面３０２を有する。また、内板構成体３６０と外板構成体３７０との間に収容空間ｋを形成し、収容空間ｋは移動機構４２０および接続機構４３０を収容する。
【００７６】
本体部３８０の内板構成体３６０は、洗浄空間Ｓに面する内板部３６１と、内板部３６１の矩形状の外周に形成された内板外周枠３６２とを有する。本実施形態において、内板外周枠３６２は、一枚の板状部材である内板構成体３６０の外周部を手前側に折り込んで形成する。内板構成体３６０は、内面３０１の下方に水返部３９０と、内面３０１の中央に把持部３６３とを有する。
【００７７】
図７（Ｂ）および（Ｃ）に示すように、水返部３９０は、上下方向に延在し内板部３６１に結合される水返結合部３９９と、水返結合部３９９の下端から奥方向および下方向の斜めに延在する第１の水返延在部３９１と、第１の水返延在部３９１の奥端から下方向に延在する第２の水返延在部３９２と、第２の水返延在部３９２の下端から奥方向に延在する第３の水返延在部３９３と、第３の水返延在部３９３の奥端から上方に延在する第４の水返延在部３９４とを備える。
【００７８】
本実施形態において、水返結合部３９９と第１〜第４の水返延在部３９１〜３９４とは、一枚の板状部材を折り曲げ、左右方向に同一の断面形状が連続するように形成している。第２〜第４の水返延在部３９２〜３９４は水返部３９０の端部として、上方に開放するコ字状の水返樋状部３９５を形成している。水返樋状部３９５は、扉体の開閉に支障がないように下枠部１４０より高い位置に配置し、右扉体３００をヒンジｔにより右枠部１３０へ取り付けて、右扉体３００を開閉する際に、水返樋状部３９５が下枠部４１０に接触しないように設けている。
【００７９】
図８に示すように、水返樋状部３９５は、左右方向に同一の断面形状が連続するように形成している。水返樋状部３９５は、ヒンジｔ側である一端側に開口する水返流水口３９６と、反対側である他端側に鉛直方向に立ち上げた壁となる流水防止壁３９７とを有する。水返樋状部３９５に受けた洗浄水について、詳しくは後述するが、流水防止壁３９７によりヒンジｔ側とは反対側である他端側から洗浄水が流れ出るのを防止し、ヒンジｔ側である一端側から水返流水口３９６から流す。なお、水返樋状部３９５は、水返流水口３９６側が下方となるように傾斜してもよい。そうすることにより、水返樋状部３９５に受けた洗浄水を円滑にヒンジｔ側である一端側から流すことができる。
【００８０】
図８および図９に示すように、本体部３８０の外板構成体３７０は、ハウジングＨの外側に面する外板部３７１と、外板部３７１の矩形状の外周に形成された外板外周枠３７２とを有する。本実施形態において、外板外周枠３７２は、一枚の板状部材である外板構成体３７０の外周部を奥側に折り込んで、さらに折り曲げることで外板部３７１に対向する面を形成される。外板構成体３７０の下部に下端部４１０を設け、外板構成体３７０の内側に移動機構４２０および接続機構４３０を設けている。なお、図２に示すように、取手部ｐは、外板構成体３７０の外面３０２側に設けている。
【００８１】
外板構成体３７０は、外板外周枠３７２の洗浄空間Ｓに向かう面で、外板外周枠３７２の左右に、一対の段付きピン（係合凸部）３７３を有する。また、内板構成体３６０は、内板外周枠３６２の外板構成体３７０に対向する面の左右に、一対の段付きピン（係合凸部）３７３に対応するだるま穴（係合凹部）（図示なし）を有する。だるま穴を段付きピン３７３に掛けるように係合することにより、外板構成体３７０に内板構成体３６０を取り付けて、本体部３８０を構成している。
【００８２】
（下端部）
図７（Ｂ）および（Ｃ）に示すように、下端部４１０は、上下方向に延在する第１の下端部延在部４１１と、第１の下端部延在部４１１の下端から奥方向に延在する第２の下端部延在部４１２と、第２の下端部延在部４１２の奥端から上方に延在する第３の下端部延在部４１３と、第３の下端部延在部４１３の上端から奥方向に延在する第４の下端部延在部４１４と、第４の下端部延在部４１４の奥端から下方に延在する第５の下端部延在部４１５とを有する。
【００８３】
第１〜第３の下端部延在部４１１〜４１３は、上方に開放するコ字状の下端部樋状部４１６を形成している。また、第４および第５の下端部延在部４１４、４１５はＬ字状の下端部返し部４１７を形成している。本実施形態において、下端部樋状部４１６と下端部返し部４１７は、一枚の板状部材を折り曲げて形成し、左右方向に同一の断面形状が連続するように形成している。
【００８４】
図１０に示すように、下端部４１０の下端部樋状部４１６は、ヒンジｔ側である一端側に開口する下端部流水口４１８と、反対側である他端側に鉛直方向に立ち上げた壁となる流水防止壁４１９とを有する。下端部樋状部４１６に受けた洗浄水について、詳しくは後述するが、下端部樋状部４１６は、洗浄空間Ｓから右扉体３００に飛散した洗浄水のうち、水返部３９０により受けることができなかった洗浄水を受ける。下端部樋状部４１６は、流水防止壁４１９により洗浄水が流れ出るのを防止し、下端部流水口４１８から流す。流水防止壁４１９は、下端部樋状部４１６の他端側から洗浄水が漏れ出さないように、折り曲げた下端部の他端を溶接により接合して形成している。
【００８５】
図７（Ｂ）および（Ｃ）に示すように、下端部４１０は、第１の下端部延在部４１１が外板構成体３７０の左右側の面に有するスリット状の溝部３７５に差し込まれた状態で、右扉体３００に取り付ける。後述するが、下端部４１０は接続機構４３０と移動機構４２０とにより上下動できるように構成されているが、下端部４１０を上下動させても第１の下端部延在部４１１が外板外周枠３７２に干渉することなく、下端部４１０を上下動させることができる。下端部樋状部４１６は、上方向へと移動させると、上方に向けて開口するコ字状の中に右扉体３００の下端を受け入れる。
【００８６】
（移動機構と接続機構）
図９に示すように、移動機構４２０と接続機構４３０とは、本体部３８０の外板外周枠３７２の枠内に設けられ、下端部４１０は、移動機構４２０を介して接続機構４３０に接続している。接続機構４３０の回転部４３２を軸部４３１を中心として回転させることにより、接続機構４３０に接続した移動機構４２０を上下に移動させる。移動機構４２０が上下に移動する際には、案内部４２２により略鉛直方向に移動できるよう案内する。以下、移動機構４２０と接続機構４３０とについて右扉体３００を例に、図９を参照しながら詳細に説明する。
【００８７】
移動機構４２０は、下端部４１０に連結する移動部４２１と、移動部４２１を上下動可能に案内する一対の案内部４２２とを備える。移動部４２１は、左右方向に略水平に配置された横桟部４２３と、横桟部４２３と接続部４３４とを軸支する軸部４２５と、横桟部４２３の両側から下方に延びる一対のシャフト４２４とを有する。一対のシャフト４２４の下端は、第１の下端部延在部４１１の長手方向に間隔を置いた２点で、下端部４１０と結合する。
【００８８】
案内部４２２は、一対のシャフト４２４を外側から支持するローラ４２６と、ローラ４２６を取り付けた一対のブラケット部４２７とを備える。ローラ４２６は、外板外周枠３７２へネジ（図示なし）により固定されたブラケット部４２７に、上下方向に間隔をおいて２つ回転可能に取り付けられる。また、ローラ４２６は、シャフト４２４が上下動する際に回転し、シャフト４２４が略鉛直方向に円滑に移動できるよう支持する。
【００８９】
横桟部４２３は、左右方向の両端を下方に略直角に折り曲げることで、横桟折曲部４５０を形成する。また、各ブラケット部４２７の上端を奥側に略直角に折り曲げることで上端折曲部４５２を形成する。各横桟折曲部４５０が案内部４２２の一対のブラケット部４２７の上端折曲部４５２に当接することにより、移動部４２１は下端部４１０を下方向へと移動した位置である下位置に保持することができる（下位置については後述する）。
【００９０】
横桟部４２３は、左右方向の両端に形成した横桟折曲部４５０の近傍かつ、横桟折曲部４５０より内側の位置に上下方向に貫通する孔（図示なし）を有する。シャフト４２４の上部は、横桟部４２３の前記した孔に挿通される。シャフト４２４の上部は雄ネジが切られており、横桟部４２３を上下から挟むように一対のナット４２９を螺合して、横桟部４２３に結合している。これにより、一対のシャフト４２４は、横桟折曲部４５０より内側の位置で横桟部４２３に結合される。
【００９１】
また、一対のシャフト４２４は、下部に第１の下端部延在部４１１に沿った平面部（図示なし）を有し、当該平面部に孔を形成している。前記した孔に雄ネジ（図示なし）を通し、第１の下端部延在部４１１に設けられた雌ネジであるネジ穴４５１へと螺合して、一対のシャフト４２４は下端部４１０に結合している。一対のシャフト４２４は、下端部４１０の両側に結合して、下端部４１０が略水平となるよう支持し、下端部４１０と横桟部４２３とが略平行となるように配置される。
【００９２】
横桟部４２３と一対のシャフト４２４と下端部４１０とは、略矩形状の枠ｖを形成する。枠ｖは、横桟部４２３とシャフト４２４とを結合する一対のナット４２９の位置を上下に変動させることにより、一対のシャフト４２４それぞれで横桟部４２３と下端部４１０との間隔を調整することができる。また、左右方向に間隔をおいて平行に延びる一対のシャフト４２４は、上下方向に間隔をおいたローラ４２６により規制されている。
【００９３】
ローラ４２６は、ローラ４２６をボルトによりブラケット部４２７へと回転可能となるように固定されている。ローラ４２６のボルトの軸方向の断面形状では、ローラ４２６は一対のシャフト４２４が接する箇所をＶ字状に切れ込みを入れている。そのため、一対のシャフト４２４を略鉛直方向に移動させる際に、枠ｖの左右両側をローラ４２６により案内し、枠ｖの奥側と手前側とへの移動を規制している。
【００９４】
なお、一対のシャフト４２４を上下方向に間隔をおいたローラ４２６で案内しているが、他の方法で一対のシャフト４２４の移動を案内してもよい。その場合、枠ｖが略鉛直方向に移動できるよう案内し、かつ手前および奥方向へと移動するのを規制できればよく、棒状部材やその他の形状の部材でもよい。
【００９５】
枠ｖにおいて、左右一方のナット４２９の位置を上下方向に変更し、下端部４１０と横桟部４２３との距離を調整することにより、下端部４１０を水平方向に対して傾斜させることができる。例えば、下端部４１０の流水防止壁４１９側で下端部４１０と横桟部４２３との距離を短くすることにより、下端部流水口４１８側に下降傾斜させることができる。
【００９６】
また、横桟部４２３には孔４２８を設けている。接続機構４３０は軸部４２５を一方の孔４２８にピン止めし、軸部４２５を中心として接続部４３４が回転可能となるように接続している。これにより、移動部４２１は、接続部４３４と接続する。なお、孔４２８は長孔としてもよい。その場合、接続部４３４の軸部４２５を中心とした回転に対して寸法的な余裕、いわゆるあそびが形成され、接続部４３４の回転をより円滑とすることができる。
【００９７】
接続機構４３０は、外板外周枠３７２の枠内で、移動機構４２０より上方に設けられている。接続機構４３０は、外板構成体３７０の外板部３７１を貫通する軸部４３１によって取手部ｐに結合し、回転軸を形成する軸部４３１と、軸部４３１に固定して取り付けられる回転部４３２と、回転部４３２の軸部４３１から径方向に間隔を置いた位置で軸部４３１と平行な回転軸を形成する軸部４３３と、軸部４３３と移動機構４２０に有する軸部４２５とを接続する接続部４３４とを備える。
【００９８】
回転部４３２は、短手方向の断面形状がコ字状となるよう板材を折り曲げて形成した部材で、長手方向の一端側に軸部４３１を取り付け、軸部４３１の径方向に間隔をおいて、一方端側と他方端側との略中間に孔をあけて、軸部４３３を取り付けている。取手部ｐと軸部４３１とは、取手部ｐのハンドルを回転すると、軸部４３１がともに回転するように接続している。
【００９９】
接続部４３４は、平板状で、長手方向の断面形状がクランク状の部材であり、一方端側に軸部４３３を介して回転可能に回転部４３２へと接続し、他方端側に軸部４２５を介して回転可能に横桟部４２３の孔４２８に接続している。
【０１００】
以上は、右扉体３００について説明したが、左扉体２００は、右扉体３００と同様な構成を左右対称に備える。
【０１０１】
（止水部）
次に、左扉体２００および右扉体３００と、開口枠１００との間の隙間から洗浄水が漏れ出ないように止水するための、上側止水部（止水部）５１０と、左側止水部（止水部）５２０と、右側止水部（止水部）５３０と、下側止水部（止水部）５４０とについて説明する。その後に、左扉体２００と右扉体３００との間の隙間から洗浄水が漏れ出さないように止水するための、中央側止水部（止水部）５５０について説明する。
【０１０２】
図２、図３（Ａ）および（Ｂ）に示すように、左扉体２００は、上枠部１１０に対応する左扉体上部２１０と、ヒンジｔを介して左枠部１２０に取り付けられる左扉体左部２２０と、右扉体左部３２０に対応する左扉体右部２３０と、下枠部１４０に対応する左扉体下部２４０とを有する。
【０１０３】
また、右扉体３００は、左扉体２００と左右対称に、上枠部１１０に対応する右扉体上部３１０と、ヒンジｔを介して右枠部１３０に取り付けられる右扉体右部３３０と、左扉体右部２３０に対応する右扉体左部３２０と、下枠部１４０に対応する右扉体下部３４０とを有する。
【０１０４】
図４（Ｂ）に示すように、左扉体上部２１０は、左扉体２００が閉じられた状態で、左扉体２００の内面２０１が第１の上枠延在部１１１に当接して、上枠部１１０と左扉体上部２１０との間から洗浄水が漏れ出ないように止水する上側止水部（止水部）５１０を形成する。
【０１０５】
右扉体上部３１０は、左扉体上部２１０と同様に、右扉体３００の内面３０１が第１の上枠延在部１１１に当接して、上枠部１１０と右扉体上部３１０との間から洗浄水が漏れ出ないように止水する上側止水部（止水部）５１０を形成する。
【０１０６】
図５（Ａ）および（Ｂ）に示すように、左扉体２００が開かれた状態から閉じられた状態へと移行すると、左扉体左部２２０が左枠段部１２７に受け入れられる。そして、扉体２００が閉じられた状態で、左扉体２００の内板外周部２６２と第１の左枠延在部１２１との間に、間隙２１を形成する。
【０１０７】
また、図５（Ｂ）に示すように、左扉体２００が閉じられた状態で、左扉体２００の内面２０１が、第２の左枠延在部１２２と第５の左枠延在部１２５とから形成する左枠平面１２６に当接して、左枠部１２０と左扉体左部２２０との隙間から洗浄水が漏れ出ないように止水する左側止水部（止水部）５２０を形成する。
【０１０８】
図６（Ａ）および（Ｂ）に示すように、右扉体３００が開かれた状態から閉じられた状態へと移行すると、右扉体右部３３０が右枠段部１３７に受け入れられる。そして、右扉体３００が閉じられた状態で、右扉体３００と第１の右枠延在部１３１との間に、間隙３１を形成する。
【０１０９】
また、図６（Ｂ）に示すように、右扉体３００が閉じられた状態で、右扉体３００の内面３０１が第２の右枠延在部１３２と第５の右枠延在部１３５とから形成する右枠平面１３６に当接して右枠部１３０と右扉体右部３３０との隙間から洗浄水が漏れ出ないように止水する右側止水部（止水部）５３０を形成する。
【０１１０】
図７（Ｂ）に示すように、左扉体２００は、下端部４１０を下枠樋状部１４７より上方の位置である上位置に保持した状態で閉じる。その後、図７（Ｃ）に示すように、第３の下端部延在部４１３の奥側の面が、第５の下枠延在部１４５の手前側の面に当接する位置である下位置に、下端部４１０を移動させる。このとき、下端部４１０の第１の下端部延在部４１１の手前側の面と、第２の下枠延在部１４２の奥端とは近接する。
【０１１１】
これにより、左扉体下部２４０は、下枠部１４０と組み合わさり、左扉体下部２４０と下枠部１４０との隙間から洗浄水が漏れ出ないように止水する下側止水部（止水部）５４０を形成する。また、下端部４１０が下位置に保持された状態で左扉体２００を開こうとすると、第２の下枠延在部１４２の奥端が下端部４１０の第１の下端部延在部４１１の手前側の面に当接して、下端部４１０は手前方向に向けて下枠部１４０に係合し、左扉体２００は開けることができない状態（施錠状態）となる。
【０１１２】
図７（Ｂ）に示すように、右扉体３００は、左扉体２００と同様に、下端部４１０を上位置とした状態で閉じる。その後、図７（Ｃ）に示すように、下端部４１０を下位置に移動させる。すると、第５の下枠延在部１４５の手前側の面が第３の下端部延在部４１３の奥側の面に当接する。また、第２の下枠延在部１４２の奥端と、下端部４１０の第１の下端部延在部４１１の手前側の面とは近接する。
【０１１３】
これにより、右扉体下部３４０は、下枠部１４０と組み合わさり、右扉体下部３４０と下枠部１４０との隙間から洗浄水が漏れ出ないように止水する下側止水部（止水部）５４０を形成する。また、下端部４１０が下位置に保持された状態で右扉体３００を開こうとすると、第２の下枠延在部１４２の奥端が下端部４１０の第１の下端部延在部４１１の手前側の面に当接して、下端部４１０は手前方向に向けて下枠部１４０に係合し、右扉体３００は開けることができない状態（施錠状態）となる。
【０１１４】
図１１（Ａ）に示すように、左扉体２００は左扉体右部２３０で、左扉体２００の内板構成体３６０の内板外周枠２６２の右側面に左扉体右部結合部２３９を有する。左扉体右部結合部２３９は、内板構成体２６０および外板構成体２７０の右端に沿って手前から奥方向に延在する。
【０１１５】
また、左扉体２００は左扉体右部２３０に、左扉体右部結合部２３９の奥端から右方向に延在する第１の左扉体右部延在部２３１と、第１の左扉体右部延在部２３１の右端から奥方向に延在する第２の左扉体右部延在部２３２と、第２の左扉体右部延在部２３２の奥端から右方向に延在する第３の左扉体右部延在部２３３と、第３の左扉体右部延在部２３３の右端から手前方向に延在する第４の左扉体右部延在部２３４とを有する。
【０１１６】
第２〜第４の左扉体右部延在部２３２〜２３４は、手前方向に開放する左扉体右部コ字状部２３５を形成する。本実施形態において、左扉体右部結合部２３９および第１〜第４の左扉体右部延在部２３１〜２３４は、一枚の板状部材を折り曲げ、上下方向に同一の断面形状が連続するように形成している。
【０１１７】
図１１（Ｂ）に示すように、右扉体３００は右扉体左部３２０に、右扉体３００の内面３０１に沿って左右方向に延在する右扉体左部結合部３２１と、右扉体左部結合部３２１の左端から奥方向に延在する右扉体左部延在部３２２とを備える。右扉体左部結合部３２１と右扉体左部延在部３２２とは右扉体左部Ｌ字状部３２３を形成する。本実施形態において、右扉体左部Ｌ字状部３２３は、一枚の板状部材を折り曲げ、上下方向に同一の断面形状が連続するように形成している。
【０１１８】
図１１（Ｃ）に示すように、扉体である左扉体２００と右扉体３００とを閉じた状態で、左扉体右部２３０と右扉体左部３２０とは、開口２の中央線ｉ（図２を参照）の位置で間隙５０を有して近接する。左扉体２００と右扉体３００とを閉じるときは、先に左扉体２００を閉じ、次いで右扉体３００を閉じる。そうすることで、第１の左扉体右部延在部２３１が右扉体３００の内面３０１に当接し、右扉体３００を開けない限り、左扉体２００を開くことはできない構成となっている。ここで、左扉体右部２３０の右端と右扉体左部３２０の左端とは開閉を容易にするために間隙５０を形成する。
【０１１９】
左扉体２００を先に閉じ、次いで右扉体３００を閉じると、左扉体２００の左扉体右部コ字状部２３５は、右扉体３００の右扉体左部Ｌ字状部３２３を受け入れる。そして、左扉体右部コ字状部２３５の第４の左扉体右部延在部２３４と、右扉体左部Ｌ字状部３２３の右扉体左部延在部３２２とが当接または近接し、さらに、上述したように第１の左扉体右部延在部２３１が右扉体３００の内面３０１に当接する。そして、扉体である左扉体２００および右扉体３００は中央線ｉ近傍（図３（Ｂ）を参照）に、いわゆるラビリンス構造の中央側止水部（止水部）５５０を形成する。
【０１２０】
なお、本実施形態では左扉体２００を閉じてから右扉体３００を閉じるようにしているが、左扉体２００と右扉体３００の構成を左右対称に変更することにより、右扉体３００を閉じてから左扉体２００を閉じるようにすることができる。その場合も、本実施形態と同様に、扉体である左扉体２００および右扉体３００は、中央線ｉ近傍に、いわゆるラビリンス構造の中央側止水部５５０を形成する。
【０１２１】
（マグネットキャッチ）
図２に示すように、開口枠１００は上枠部１１０と下枠部１４０に、中央線ｉの付近にマグネットキャッチｍを有する。マグネットキャッチｍは、中央線ｉの右側に設けられ、右扉体３００を吸着し、閉じた状態を維持する。左扉体２００と右扉体３００とが閉じられていれば、先に閉じられている左扉体２００の第１の左扉体右部延在部２３１が右扉体３００の内面３０１に当接して、左扉体２００は開くことはない。
【０１２２】
上枠部１１０側のマグネットキャッチｍは第２の上枠延在部１１２の下面に直接取り付ける。下枠部１４０側のマグネットキャッチｍは、ブラケットｂを介して下枠部１４０へと取り付ける。ここで、ブラケットｂは、左扉体２００および右扉体３００を、所定の位置で閉じることができるように位置決めする。
【０１２３】
前段に記載した左扉体２００および右扉体３００を閉じる所定の位置は、左扉体２００および右扉体３００を閉じることで、上側止水部５１０と左側止水部５２０と右側止水部５３０と中央側止水部５５０とが形成される位置である。加えて、下側止水部５４０で、下端部４１０を下枠樋状部１４７へ差し込むと、第３の下端部延在部４１３が第５の下枠延在部１４５に当接する位置である。
【０１２４】
（下端部の移動について）
次に、本発明の移動機構および接続機構による下端部の移動について説明する。
【０１２５】
図７（Ｂ）に示すように、扉体である左扉体２００、右扉体３００を開閉するとき、下端部４１０を上位置に保持しておく。また、図７（Ｃ）に示すように、各扉体２００、３００が閉じられた状態で、下端部４１０を下位置に移動する。これにより、各扉体２００、３００の下端部４１０は、下枠部１４０に係合して、各扉体２００、３００を開けることができない状態（施錠状態）に保つことができる。
【０１２６】
扉体である左扉体２００、右扉体３００の下端部４１０の移動は、図１２（Ａ）〜（Ｃ）に示す動作により行われる。図１２（Ａ）〜図１２（Ｃ）においては、図面の左右方向をそのまま説明に用いる。以下の説明では、右扉体３００について、下端部４１０の動きを説明するが、左扉体２００においても、左右対称に同様の動きとなる。
【０１２７】
まず、図１２（Ａ）は、右扉体３００の下端部４１０が上位置に保持されている状態を示す。このとき、軸部４３３は、移動機構４２０の移動部４２１の荷重を受けて回転部４３２を軸部４３１を中心として右回転（時計回り）させる方向に力を受けている。しかし、軸部４３１を介して取手部ｐに一端を連結された回転部４３２は、外板外周枠３７２に他端部を当接させているため、それ以上右回転（時計回り）することはない。これにより、作業者が取手部ｐに右回転（時計回り）の力を加えて保持せずとも、下端部４１０を上位置に保持することができる。
【０１２８】
このとき、図１３（Ａ）に示すように、横桟部４２３の横桟折曲部４５０は、ブラケット部４２７の上端折曲部４５２に間隔をおいた位置に保持される。なお、この状態で取手部ｐの把持する部位であるハンドルは略水平方向となり保持される。
【０１２９】
次に、図１２（Ｂ）は、右扉体３００の下端部４１０が上位置と下位置との間で移動する途中の位置にある状態を示す。このとき、下端部４１０および移動機構４２０の質量により移動機構４２０は下方向に力を受け、下端部４１０を下位置に移動するために取手部ｐを左回転（反時計回り）する力を小さくすることができる。このとき、図１３（Ｂ）に示すように、横桟部４２３の横桟折曲部４５０とブラケット部４２７の上端折曲部４５２との間隔は、横桟部４２３が下方に移動することにより、図１３（Ａ）における間隔よりも小さくなる。
【０１３０】
次に、図１２（Ｃ）は、右扉体３００の下端部４１０が下位置に保持された状態を示す。このとき、軸部４３３は、移動部４２１および下端部４１０の荷重を受けて、軸部４３１を中心として左回転（反時計回り）させる方向に力を受けている。
【０１３１】
このとき、図１３（Ｃ）に示すように、横桟部４２３の横桟折曲部４５０は、ブラケット部４２７の上端折曲部４５２に当接して、横桟部４２３は下方向への移動を規制される。これにより、横桟部４２３に連結する下端部４１０は、下位置に保持される。なお、この状態で、取手部ｐの把持する部位であるハンドルは、略鉛直方向に沿った状態となる。
【０１３２】
次いで、図１４により、移動機構４２０および接続機構４３０による下端部４１０の移動の概念について説明する。
【０１３３】
二点鎖線で示す直線Ｌは、移動機構４２０の軸部４２５の軌道を示す（図９参照）。直線Ｌ上の黒点ＬＡは、図１２の（Ａ）の状態に対応し、下端部４１０が上位置ＰＡにおかれた状態の軸部４２５の位置を示している。また、直線Ｌ上の黒点ＬＢは、図１２の（Ｂ）の状態に対応し、下端部４１０が上位置ＰＡと下位置ＰＣとで移動する途中の位置におかれた状態の軸部４２５の位置を示している。さらに、直線Ｌ上の黒点ＬＣは、図１２の（Ｃ）の状態に対応し、下端部４１０が下位置ＰＣにおかれた状態の軸部４２５の位置を示している。
【０１３４】
二点鎖線で示す正円Ｃは、軸部４３３の軌跡を説明するために示したものである（図９参照）。正円Ｃ上の黒点ＣＡは、図１２の（Ａ）の状態に対応し、下端部４１０が上位置ＰＡに保持された状態の軸部４３３の位置を示している。また、正円Ｃ上の黒点ＣＢは、図１２の（Ｂ）の状態に対応し、下端部４１０が上位置ＰＡと下位置ＰＣとの間を移動する途中の状態の軸部４３３の位置を示している。さらに、正円Ｃ上の黒点ＣＣは、図１２の（Ｃ）の状態に対応し、下端部４１０が下位置ＰＣにおかれた状態の軸部４３３の位置を示している。また、正円Ｃの中心の黒点は軸部４３１を示し、軸部４３３は回転部４３２を介して軸部４３１を中心に正円Ｃの軌跡を描く。
【０１３５】
実線で示す直線は、長尺の接続部４３４を示す（図９参照）。したがって直線４３４は、黒点ＬＡと黒点ＣＡとを接続し、黒点ＬＢと黒点ＣＢとを接続し、黒点ＬＣと黒点ＣＣとを接続する。すなわち、軸部４３３と軸部４２５とが接続部４３４によって接続されていることを示している。
【０１３６】
二点鎖線で示す直線４３４は、軸部４３１と軸部４３３と軸部４２５とが直線状に並ぶ状態を示す。この状態で正円Ｃ上の黒点ＣＤは、軸部４３３の位置を示し、いわゆる上死点となる。上死点では、軸部４２５が直線Ｌ上の黒点ＬＤに位置し、この点が下端部４１０の移動軌跡の中で最も高い位置となる。
【０１３７】
下端部４１０が結合する移動機構４２０の軸部４２５は、上位置ＰＡから下位置ＰＣに移動する場合に、ＬＡからＬＤとＬＢを経てＬＣに移動する。すなわち、下端部４１０が結合する移動機構４２０の軸部４２５は、上位置ＰＡから、一旦上昇してＰＡよりも高い位置を経てから下降し、下位置ＰＣまで移動する。下端部４１０が結合する移動機構４２０の軸部４２５の移動に伴い、下端部４１０も同様に上下動する。軸部４２５が上位置ＰＡに移動したときには下端部４１０は上位置に移動し、軸部４２５が下位置ＰＣに移動したときには下端部４１０は下位置に移動することとなる。
【０１３８】
軸部４３３は、接続部４３４を介して移動部４２１から、常に右回転（時計回り）または左回転（反時計回り）するように荷重を受ける。したがって、軸部４３３は、上死点となる黒点ＣＤより右に位置すると右回転の力を受ける。これにより、下端部４１０が下位置に保持された状態から、取手部ｐの把持する部位であるハンドルを回転することにより、軸部４３１を右回り（時計回り）に回転させて、軸部４３３を上死点（黒点ＣＤ）まで軸部４３３を移動させると、下端部４１０は上位置ＰＡを越え、最上位の位置まで移動する。そして、軸部４３３が上死点（黒点ＣＤ）を越えると、下端部４１０の重量により、回転部４３２が外板外周枠３７２に当接する位置（黒点ＣＡ）まで移動し、下端部４１０は上位置で保持される。したがって、下端部４１０は、所定の位置である上死点（黒点ＣＤ）を超える位置まで取手部ｐの把持する部位であるハンドルを回転することにより下端部の重量により右回転し、上位置ＰＡで保持される。
【０１３９】
一方で、下端部４１０を下位置ＰＣに移動させるとき、下端部４１０が上位置ＰＡで保持された状態から、取手部ｐを左回り（反時計回り）に回転させて、上死点（黒点ＣＤ）を越える位置まで軸部４３３を移動させると、軸部４３３の移動に伴って、軸部４３３に接続部４３４を介して接続する横桟部４２３が下降して、横桟部４２３の横桟折曲部４５０とブラケット部４２７の上端折曲部４５２とが当接する位置（黒点ＣＣ）まで移動し、下端部４１０が下位置ＰＣに移動する。このとき、取手部ｐのハンドルは略鉛直方向に沿った状態となる。なお、取手部ｐは、移動部４２１の横桟折曲部４５０が案内部４２２のブラケット部４２７の上端折曲部４５２に当接するまで（図１３を参照）、取手部ｐの把持する部位であるハンドルは回転を許容される。
【０１４０】
（水返部、下端部、および下枠部の周辺へと飛散した洗浄水の流れ）
次に、ヒンジ扉１を閉じて下端部４１０を下枠樋状部１４７へ差し込んだときの、水返部３９０、下端部４１０、および下枠部１４０の周辺へと飛散した洗浄水の流れを、図７（ｃ）と図１５を参照しながら詳細に説明する。
【０１４１】
水返部３９０の斜め上方から飛散してきた洗浄水（図１５矢印ａ）は、内面３０１に接触して内面３０１上を下方へと流れ、水返結合部３９９へと至る。水返結合部３９９へと至った洗浄水のうち、勢いの強い洗浄水は水返延在部３９１の斜面を流れ、洗浄空間Ｓの下部にある洗浄タンクＴへと流し戻される。また、飛散してきた洗浄水（図１５矢印ａ）のうち、勢いの弱い洗浄水は水返延在部３９１の斜面を伝い流れて、第２の水返延在部３９２へと伝い、水返樋状部３９５へと貯まる。そして、水返樋状部３９５へと貯まった洗浄水は、水返樋状部３９５のヒンジｔ側に有する水返流水口３９６から、洗浄空間Ｓの下部にある洗浄タンクＴへと流し戻される。
【０１４２】
水返部３９０の斜め上方から飛散してきた洗浄水（図１５矢印ｂ）のうち、勢いの強い洗浄水は水返延在部３９１の斜面に接触して水返延在部３９１の斜面を流れ、洗浄空間Ｓの下部にある洗浄タンクＴへと流し戻される。また、飛散してきた洗浄水（図１５矢印ｂ）のうち、勢いの弱い洗浄水は水返延在部３９１の斜面を伝い流れて、第２の水返延在部３９２へと伝い、水返樋状部３９５へと貯まる。そして、水返樋状部３９５へと貯まった洗浄水は、水返樋状部３９５のヒンジｔ側に有する水返流水口３９６から、洗浄空間Ｓの下部にある洗浄タンクＴへと流し戻される。
【０１４３】
水返部３９０の斜め上方から飛散してきた洗浄水（図１５矢印ｃ）は第２の水返延在部３９２に接触し、第２の水返延在部３９２から水返樋状部３９５へと流れて貯まる。そして、水返樋状部３９５へと貯まった洗浄水は、水返樋状部３９５のヒンジｔ側に有する水返流水口３９６から、洗浄空間Ｓの下部にある洗浄タンクＴへと流し戻される。
【０１４４】
水平方向から飛散してきた洗浄水（図１５矢印ｄ）のうち、第５の下端部延在部４１５に接触して上方へと飛散し、第３の水返延在部３９３の下面へと向かった洗浄水は、第３の水返延在部３９３の下面に接触して洗浄空間Ｓの下部にある洗浄タンクＴへと流し戻される。また、水平方向から飛散してきた洗浄水（矢印ｄ）のうち、第５の下端部延在部４１５に接触して上方へと飛散し、第５の下端部延在部４１５と第３の水返延在部３９３との間の隙間へと入った洗浄水は、下端部樋状部４１６へと入り込む。下端部樋状部４１６へと入り込んだ洗浄水は、下端部樋状部４１６をヒンジｔ側へと流れ、下端部流水口４１８から下枠樋状部１４７へと入り、後述する第５の下枠延在部１４５の途切れた端から洗浄空間Ｓの下部にある洗浄タンクＴへと流し戻される。
【０１４５】
斜め下方から飛散してきた洗浄水（図１５矢印ｅ）のうち、第３の下端部延在部４１３に接触して上方へと流れた洗浄水は、下端部返し部４１７により流れる方向を下方へと変更され、洗浄空間Ｓの下部にある洗浄タンクＴへと流し戻される。また、斜め下方から飛散してきた洗浄水（図１５矢印ｅ）のうち、第３の下端部延在部４１３に接触して下方へと流れた洗浄水は、第３の下端部延在部４１３と第５の下枠延在部１４５とが当接する箇所により、第５の下枠延在部１４５の洗浄空間Ｓ側を伝い、洗浄空間Ｓの下部にある洗浄タンクＴへと流し戻される。
【０１４６】
また、矢印ｄよりも下方で、水平方向に飛散してきた洗浄水（図１５矢印ｆ）は、第５の下枠延在部１４５に沿って上方に流れ、下端部返し部４１７により流れる方向を下方へと変更され、洗浄空間Ｓの下部にある洗浄タンクＴへと流し戻される。
【０１４７】
これらにより、ヒンジ扉１を閉じている状態で、洗浄空間Ｓで洗浄水が噴射されている間は、水返部３９０、下端部４１０および下枠部１４０周辺に飛散する洗浄水を洗浄空間Ｓへと流し返すことができる。そして、洗浄空間Ｓで被洗浄物Ｇを洗浄するために噴射された洗浄水は、洗浄空間Ｓの下部に設けた洗浄タンクＴへと流し戻される。洗浄タンクＴに貯めた洗浄水は、洗浄ポンプにより圧送され、ノズルＮより再び噴射されて被洗浄物Ｇの洗浄に繰り返し使用される。
【０１４８】
（再帰流路による洗浄水の流し戻し）
被洗浄物Ｇの洗浄が終わり、洗浄空間Ｓで洗浄水の噴射を止めた後、閉じられた状態の左扉体２００の内板構成体２６０の内面２０１、および右扉体３００の内板構成体３６０の内面３０１に付着した洗浄水を、洗浄空間Ｓに設けた洗浄タンクＴへと流し戻す。また、取手部ｐのハンドルを回転して下端部４１０を上位置に保持した状態で、左扉体２００および右扉体３００を開かれた状態とするときの、洗浄タンクＴへと流し戻す洗浄水の流れについて、右扉体３００を例に、図１６および図１７（Ａ）〜（Ｃ）を参照しながら説明する。
【０１４９】
図１６に示すように、左枠部１２０および右枠部１３０の下端には下枠部１４０と接する箇所を切り欠いて流路Ｆを形成する。さらに、下枠部１４０の流路Ｆの途中で第５の下枠延在部１４５は途切れ、再帰流路Ｒを形成する。再帰流路Ｒから洗浄空間Ｓ内へと流れ落ちた洗浄水は、洗浄空間Ｓに設けた洗浄タンクＴへと流れ戻される。
【０１５０】
下端部４１０のヒンジｔ側となる一端は右扉体３００のヒンジｔ側に張り出しており、下端部４１０のヒンジｔ側となる一端を右枠部１３０の下端に設けた切り欠きに入れ込むことで、右扉体３００を閉じることができる。
【０１５１】
図１７（Ａ）に示すように、右扉体３００が閉じられた状態で、水返部３９０の水返樋状部３９５は、下枠樋状部１４７の奥端である第５の下枠延在部１４５を越えて奥側に位置する。
【０１５２】
右扉体３００が閉じられた状態で、右扉体３００の内板構成体３６０の内面３０１に付着した洗浄水は内面３０１を流れ、水返樋状部３９５および下端部樋状部４１６にて受ける。
【０１５３】
水返樋状部３９５にて受けた洗浄水は、水返流水口３９６から洗浄空間Ｓに設けた洗浄タンクＴへと洗浄水を流し戻すことができる。
【０１５４】
また、水返部３９０により受けられなかった洗浄水のうち、下端部樋状部４１６で受けた洗浄水は、下端部流水防止壁４１９により下端部樋状部４１６を右扉体３００のヒンジｔ側に流れ、下端部流水口４１８から下枠樋状部１４７へと流れる。そして、図１６に示すように、下枠樋状部１４７を流れる洗浄水は矢印ｒの方向へと流路Ｆを流れ、再帰流路Ｒにより、洗浄空間Ｓに設けた洗浄タンクＴへと流れ戻される。
【０１５５】
図１７（Ｂ）に示すように、ヒンジ扉の上面視で、開かれた右扉体３００が所定の位置、例えば、右扉体３００と下枠部１４０とのなす角度が９０度より小さい角度となるような位置にあるとき、水返樋状部３９５の水返流水口３９６および下端部樋状部４１６の下端部流水口４１８と、下枠樋状部１４７とは、重なるように位置する。これにより、水返樋状部３９５を流れる洗浄水および下端部樋状部４１６を流れる洗浄水は、それぞれ、水返流水口３９６および下端部流水口４１８から下枠樋状部１４７へと流れる。そして、図１６に示すように、下枠樋状部１４７を流れる洗浄水は矢印ｒの方向へと流路Ｆを流れ、再帰流路Ｒにより、洗浄空間Ｓに設けた洗浄タンクＴへと流れ戻される。
【０１５６】
図１７（Ｃ）に示すように、ヒンジ扉の上面視で、開かれた右扉体３００が所定の位置、例えば、右扉体３００と下枠部１４０とのなす角度が９０度より大きい角度となるような位置にあるとき、水返樋３９５の水返流水口３９６および下端部樋状部４１６の下端部流水口４１８は、下枠部１４０より手前側、すなわち床面の上方に位置する。しかし、開かれた右扉体３００が所定の位置、例えば、右扉体３００と下枠部１４０とのなす角度が９０度より小さい角度となるような位置であるときに、水返樋状部３９５と下端部樋状部４１６とで受けた洗浄水を下枠樋状部１４７へと流し切っていれば、洗浄水が床面に落ちることはない。
【０１５７】
図１７（Ａ）〜（Ｃ）において、右扉体３００について説明したが、左扉体２００は、同様の流れにより、洗浄水を洗浄空間Ｓに設けた洗浄タンクｔへと流し戻すことができる。
【０１５８】
（止水部の止水性）
図４（Ｂ）に示すように、左扉体２００の内板構成体２６０の内面２０１、および右扉体３００の内板構成体３６０の内面３０１と、第１の上枠延在部１１１とは当接して上側止水部５１０を形成する。上側止水部５１０は、洗浄空間Ｓで飛散した洗浄水を、左扉体２００の内板構成体２６０の内面２０１、および右扉体３００の内板構成体３６０の内面３０１と、第１の上枠延在部１１１との間からハウジングＨの外側へと漏らさないように、止水することができる。
【０１５９】
図５（Ｂ）に示すように、左扉体２００の内面２０１と左枠平面１２６とは当接して左側止水部５２０を形成する。左側止水部５２０は、洗浄空間Ｓで飛散した洗浄水を、左扉体２００の左扉体左部２２０と左枠平面１２６との間からハウジングＨの外側へと漏らさないように、止水することができる。そして、左枠平面１２６を左右方向に長く形成し、左扉体２００の内面２０１との接触面を長く確保することで、より止水性を向上させている。
【０１６０】
また、左枠Ｌ字状部１２８は、洗浄空間Ｓで略左右方向に飛散する洗浄水を受けて、洗浄空間Ｓの下部に有する洗浄タンクＴへと洗浄水を流し戻すことができる。これにより、左枠平面１２６と内面２０１との間に洗浄水が入り込むのを抑制して、左側止水部５２０の止水性を向上させている。
【０１６１】
左側止水部５２０は、左扉体２００の内板外周部２６２と第１の左枠延在部１２１とで間隙２１を形成する。左扉体２００の内面２０１と左枠平面１２６との狭い隙間に染み込んだ洗浄水は、隙間の幅が広がる間隙２１で下方へと流れ落ちる。下方へと流れ落ちた洗浄水は、下枠樋状部１４７へと流れ落ち、矢印ｒの方向へと流れて、再帰流路Ｒから洗浄空間Ｓに設けた洗浄タンクＴへと流し戻される（図１６および図１７（ａ）を参照）。
【０１６２】
図６（Ｂ）に示すように、右扉体３００の内面３０１と右枠平面１３６とは当接して、右側止水部５３０を形成する。右側止水部５３０は、洗浄空間Ｓで飛散した洗浄水を、右扉体３００の右扉体右部３３０と右枠平面１３６との間からハウジングＨの外側へと漏らさないように、洗浄水を止水することができる。そして、右枠平面１３６を左右方向に長く形成し、右扉体３００の内面３０１との接触面を長く確保することで、より止水性を向上させている。
【０１６３】
右側止水部５３０は、左側止水部５２０と同様に間隙３１を形成する。そして、右扉体３００の内面３０１と右枠平面１３６との狭い隙間に染み込んだ洗浄水は、間隙３１により流れ落ち、下枠樋状部１４７を矢印ｒの方向へと流れて、再帰流路Ｒから洗浄空間Ｓに設けた洗浄タンクＴへと流し戻される。
【０１６４】
また、右枠Ｌ字状部１３８は、洗浄空間Ｓで略左右方向に飛散する洗浄水を受けて、洗浄空間Ｓの下部に有する洗浄タンクＴへと洗浄水を流し戻すことができる。これにより、右枠平面１３６と内面３０１との間に洗浄水が入り込むのを抑制して、右側止水部５３０の止水性を向上させている。
【０１６５】
図１１（Ｃ）に示すように、第１の左扉体右部延在部２３１と、右扉体左部３２０の内面３０１とは当接する。また、右扉体左部３２０の右扉体左部延在部３２２と、左扉体右部２３０の第４の左扉体右部延在部２３４とは当接する。これにより、左扉体２００と右扉体３００とが近接する部位は、いわゆるラビリンス構造により、中央側止水部５５０を形成している。中央側止水部５５０は、洗浄空間Ｓで飛散した洗浄水を、左扉体右部２３０と右扉体左部３２０との間の隙間である間隙５０からハウジングＨの外側へと漏らさないように、止水することができる。
【０１６６】
前述したように、下枠部１４０に取付けたブラケットｂは、左扉体２００および右扉体３００を、所定の位置で閉じることができるように位置決めする。
【０１６７】
左扉体２００および右扉体３００を閉じる所定の位置は、左扉体２００および右扉体３００を閉じることで、上側止水部５１０と左側止水部５２０と右側止水部５３０と中央側止水部５５０とが形成される位置である。また、下側止水部５４０で、下端部４１０を下枠樋状部１４７へ差し込むと、第３の下端部延在部４１３が第５の下枠延在部１４５に当接する位置とする。
【０１６８】
これにより、本実施形態のヒンジ扉１は、洗浄空間Ｓ内で噴射された洗浄水を、開口枠１００と、左扉体２００および右扉体３００との間の隙間からハウジングＨの外側へと漏らさないようにする上側止水部５１０と、左側止水部５２０と、右側止水部５３０とを形成する。さらに、左扉体２００と右扉体３００との間の隙間からハウジングＨの外側へと漏らさないようにする中央側止水部５５０を形成する。これら止水部５１０、５２０、５３０、５５０を形成しつつ、下側止水部５４０の止水性を向上させることができるものである。
【０１６９】
また、下端部４１０を下枠樋状部１４７へと差し込むことで、上側止水部５１０と、左側止水部５２０と、右側止水部５３０と、中央側止水部５５０とでハウジングＨの外側へと洗浄空間Ｓ内で噴射された洗浄水を漏らさないようにした上に、下側止水部５４０の止水性を向上させつつ、ヒンジ扉１を施錠することができる。
【０１７０】
これにより、洗浄空間Ｓで被洗浄物Ｇを洗浄している間に誤って扉体を開けることや、洗浄空間Ｓで噴射される洗浄水の圧力によって扉体が開くことを防止し、洗浄空間Ｓから開口２を通じて洗浄水を飛散させて床面を濡らすことや、作業者に飛散し衣服を汚すことを防止することができる。
【０１７１】
なお、左側止水部５２０は左枠段部１２７と左枠Ｌ字状部１２８とを組み合わせて左枠平面１２６を形成し、左枠平面１２６と内板構成体２６０の内面２０１とを面接触させて止水している。第３の左枠延在部１２３と第４の左枠延在部１２４を組み合わせているのは、左側止水部５２０の強度を保つためである。そのため、強度を保つことができるのであれば、第２の左枠延在部１２２と第５の左枠延在部１２５とを１枚の板により構成し、リブを形成して強度を保ってもよい。または、第２の左枠延在部１２２と第５の左枠延在部１２５とを、厚みの厚い１枚の板により構成してもよい。
【０１７２】
なお、右側止水部５３０も左側止水部５２０と同様に、右枠段部１３７と右枠Ｌ字状部１３８とを組み合わせて右枠平面１３６を形成し、右枠平面１３６と内板構成体３６０の内面３０１とを面接触させて止水している。第３の右枠延在部１３３と第４の右枠延在部１３４を組み合わせているのは、右側止水部５３０の強度を保つためである。そのため、強度を保つことができるのであれば、第２の右枠延在部１３２と第５の右枠延在部１３５とを１枚の板により構成し、リブを形成して強度を保ってもよい。または、第２の右枠延在部１３２と第５の右枠延在部１３５とを厚みの厚い１枚の板により構成してもよい。
【０１７３】
なお、下端部４１０を下位置に移動させたとき、第１の下端部延在部４１１と第２の下枠延在部１４２とを当接するようにしてもよい。そうすることで、扉体の奥側である第３の下端部延在部４１３と第５の下枠延在部１４５とを当接し、そのうえ、扉体の手前側である第１の下端部延在部４１１と第２の下枠延在部１４２とを当接することができ、下側止水部５４０の止水性をより向上させることができる。
【０１７４】
なお、製造時の組立等の公差を考慮したとき、内板構成体３６０の内面３０１と第１の上枠延在部１１１との間に所定の隙間、例えば１ミリメートルの隙間を形成するように、第１の上枠延在部１１１を奥側に配置することにより、左側止水部５２０と右側止水部５３０とで当接する面の密着性を向上させることができる。この場合、上側止水部５１０には所定の隙間、例えば１ミリメートルの隙間が形成されるが、上側止水部５１０には洗浄水が飛散しにくく、第１の上枠延在部１１１の鉛直方向の長さを所定の距離、例えば６０ミリメートルとすることで、飛散する洗浄水が上側止水部５１０から漏れ出すことを防止することができる。
【０１７５】
（右扉体および左扉体の二重構造）
図８に示すように、本実施形態において、右扉体３００の本体部３８０は、内板構成体３６０と外板構成体３７０との二重構造となっており、内板構成体３６０と外板構成体３７０との間に収容空間ｋを形成している。収容空間ｋに接続機構４３０と移動機構４２０を収容しているため、洗浄空間Ｓ内で噴射する洗浄水や、被洗浄物Ｇから飛散する残菜が、接続機構４３０と移動機構４２０に付着するのを防ぐことができる。
【０１７６】
また、洗浄空間Ｓで噴射する洗浄水は、被洗浄物Ｇに付着した汚れを効果的に落とすことができる所定の温度、例えば略６０度Ｃの洗浄水であり、被洗浄物Ｇに噴射することで洗浄する。所定の温度の洗浄水を洗浄空間Ｓ内で噴射すると洗浄空間Ｓ内の温度が上昇するが、それにより所定の温度の洗浄水の温度低下を防ぎ、洗浄水を所定の温度へと再加熱するエネルギーを節約することができる。
【０１７７】
そして、右扉体３００の本体部３８０の内部に収容空間ｋを形成していることにより、収容空間ｋ内の空気が断熱材となり、洗浄空間Ｓ内の温度がハウジングＨの外側へと伝熱することを抑え、洗浄空間Ｓ内の温度が低下することを防ぐことができる。つまり、収容空間ｋは、洗浄空間Ｓ内の温度を保つ保温効果を有している。そして、洗浄空間Ｓ内の温度が外板構成体３７０に伝熱しにくいため、外板構成体３７０が加熱されることを抑えることができる。
【０１７８】
また、右扉体３００の本体部３８０の内部に収容空間ｋを形成していることにより、収容空間ｋ内の空気が遮音材となり、洗浄空間Ｓ内で噴射した洗浄水が、被洗浄物Ｇや洗浄装置Ｗ内の配管や設備に接触した時の音、洗浄空間Ｓ内で搬送する被洗浄物Ｇ同士が接触して発生する音などの、ハウジングＨの外側への音の漏れを抑えることができる。つまり、収容空間ｋは、洗浄空間Ｓ内で発生する音の、ハウジングＨの外側への音の漏れを抑える遮音効果を有している。
【０１７９】
なお、収容空間ｋ内に吸音材や断熱材を収納してもよい。その場合は、遮音性や断熱性の機能を向上させることができる。
【０１８０】
図８で右扉体３００を用いて、本体部３８０の二重構造について説明したが、左扉体２００も同様に内板構成体２６０と外板構成体２７０との二重構造となっており、左扉体２００の内板構成体２６０と外板構成体２７０との間に収容空間ｋを形成している。そのため、左扉体２００も同様に、洗浄空間Ｓ内で噴射する洗浄水や、食器類から飛散する残菜が、接続機構４３０と移動機構４２０に付着するのを防ぐことができる。そして、保温効果と遮音効果も、右扉体３００の収容空間ｋと同様に有しているものである。
【０１８１】
（洗浄装置の清掃方法）
次に、本発明に係る洗浄装置の清掃方法について洗浄装置Ｗを用いて説明する。なお、洗浄装置の清掃方法は、他の洗浄装置に用いてもよい。
【０１８２】
本発明の洗浄装置Ｗの清掃方法は、洗浄空間Ｓで被洗浄物Ｇを洗浄するために噴射される洗浄水の噴射を停止し、ヒンジ扉１を開いて洗浄装置Ｗの内部を清掃するものである。以下、順を追って説明する。
【０１８３】
先ず、ノズルＮからの洗浄水の噴射を停止する。洗浄装置Ｗの清掃は、洗浄水の噴射が停止してから行われるが、洗浄装置Ｗは、例えばドライシステムと称される床面に洗浄水が落下することを敬遠される環境で使用されるため、洗浄装置Ｗの清掃時といえども、洗浄水をハウジングの外側に漏らさないことが要求される。
【０１８４】
図１２（Ａ）に示すように、取手部ｐのハンドルを回転させ、下端部４１０を上位置に移動する。取手部ｐのハンドルを回転させて下端部４１０を上位置に移動すると、回転部４３２が外板外周枠３７２に当接し、下端部４１０を上位置に保持させることができる。また、回転部４３２が外板外周枠３７２に当接すると、その当接により下端部４１０は振動を受ける。この振動により、下端部４１０の下端部樋状部４１６に残った洗浄水を、下端部流水口４１８から下枠部１４０の下枠樋状部１４７へと流すことができる。また、第２の下端部延在部４１２の下面側に付着した洗浄水を下枠樋状部１４７に落下させることができる。これらにより、右扉体３００を開く際に、右扉体３００の下端部樋状部４１０に貯まった洗浄水や、第２下端部延在部４１２の下面に付着した洗浄水が、床に落下するのを抑制することができる。
【０１８５】
図１７（Ｂ）に示すように、次に右扉体３００を開く。右扉体３００を開いたとき、上面視で、下枠部１４０と右扉体３００とのなす角度を９０度よりも小さい角度とし、前記したように、右扉体３００の内面３０１に付着した洗浄水の大部分が下端樋状部４１６および水返樋状部３９５により受けられ、下枠樋状部１４７へと流れ込み、下枠樋状部１４７の再起流路Ｒを通じて、洗浄空間Ｓの下部に有する洗浄タンクＴへと流れ戻ったことを確認した後に、図１７（Ｃ）に示すように、上面視で、下枠部１４０と右扉体３００とのなす角度を９０度よりも大きい角度とする。そうすることで、床面に洗浄水が落下することを防止できる。また、上面視で、下枠部１４０と右扉体３００とのなす角度を９０度よりも大きい角度で大きく開くことにより、洗浄装置Ｗの清掃を容易に行うことができる。
【０１８６】
次に、右扉体３００を開くことにより左扉体２００を開くことが可能となるので、左扉体２００を開く。左扉体２００についても、右扉体３００と同様に、取手部ｐの把持する部位であるハンドルの回転によって、下端部４１０に残った洗浄水や、第２の下端部延在部４１２の下面側に付着した洗浄水が、下枠樋状部１４７から洗浄空間Ｓの下部に有する洗浄タンクＴへと流れ戻るため、右扉体３００を開く際に、右扉体３００から床に洗浄水が落下するのを抑制することができる。
【０１８７】
また、左扉体２００を開いたとき、上面視で、下枠部１４０と左扉体２００とのなす角度を９０度よりも小さい角度とし、左扉体２００の内面２０１に付着した洗浄水の大部分が洗浄空間Ｓの下部に有する洗浄タンクＴへとも流れ戻ったことを確認した後に、上面視で、下枠部１４０と左扉体２００とのなす角度を９０度よりも大きい角度とする。そうすることで、床面に洗浄水が落下することを防止できる。また、上面視で、下枠部１４０と左扉体２００とのなす角度を９０度よりも大きい角度で大きく開くことにより、洗浄装置Ｗの清掃を容易に行うことができる。
【０１８８】
また、左扉体２００の内板構成体２６０と右扉体３００の内板構成体３６０との内面２０１、３０１には、被洗浄物から除去した汚れが洗浄水とともに飛散し付着する。しかし、左扉体２００と右扉体３００とに内板構成体２６０と内板構成体３６０とを取り付けた状態で布等で拭きながら清掃すると、内板構成体２６０と内板構成体３６０とに残菜が付着していた場合、洗浄装置Ｗを設置している床面に残菜を落下させるおそれがある。もしくは、内板構成体２６０と内板構成体３６０とに付着した残菜を清掃するために、内板構成体２６０と内板構成体３６０とにホース等で散水しながら清掃すると、床面に大量の洗浄水を落下させてしまう。そのため、内板構成体２６０と内板構成体３６０とを、左扉体２００の外板構成体２７０と右扉体３００の外板構成体３７０から取り外して清掃する。
【０１８９】
図８を参照して右扉体３００について具体的に説明すると、右扉体３００と左扉体２００とを大きく開き、右扉体３００の内板構成体３６０の把持部３６３を把持して、右扉体３００の内板構成体３６０を、右扉体３００の外板構成体３７０から取り外す。
【０１９０】
そして、内板構成体３６０を清掃するためのシンクへと運ぶことで、洗浄装置Ｗの清掃とは別に、水をかけながら手洗いによる清掃を行うことができる。これにより、洗浄装置Ｗが設置されている場所の床面に洗浄水を落下させることなく、内板構成体３６０を取り外して洗浄し、ヒンジ扉１の内面３０１、および洗浄装置Ｗの内部を衛生的に保つことができる。なお、左扉体２００においても同様の方法で清掃することができる。
【０１９１】
（ヒンジ扉の取付方法）
次に図８および図９を参照して、本発明に係るヒンジ扉の取付方法について説明する。
【０１９２】
先ず、右扉体３００の外板構成体３７０を準備する。準備した右扉体３００の外板構成体３７０の外板外周枠３７２に段付きピン３７３を取り付けるとともに、外板構成体３７０の開口枠１００へと取り付ける側である、外板外周枠３７２の左側の面に抜き差し蝶番であるヒンジｔの上部側であるヒンジスリーブを取り付ける。
【０１９３】
そして、本体部３８０の外板構成体３７０の外板外周枠３７２の枠内に移動機構４２０を設けるとともに、移動機構４２０のシャフト４２４に下端部４１０を結合する。
【０１９４】
移動機構４２０を設ける前後または、それに並行して、外板構成体３７０の外面側に取手部ｐを取付け、取手部ｐに接続機構４３０の軸部４３１を接続する。その後、接続機構４３０の接続部４３４と、移動機構４２０の横桟部４２３とを軸部４２５により結合し、接続機構４３０と移動機構４２０とを連結する。
【０１９５】
次に、外板構成体３７０に備える段付きピン３７３に、右扉体３００の内板構成体３６０に有するだるま穴を、掛けるように係合させて、外板構成体３７０に内板構成体３６０を取り付けて右扉体３００を完成させる。これにより、外板構成体３７０に設けられた移動機構４２０および接続機構４３０が内板構成体３６０で覆われる。
【０１９６】
次に、完成した右扉体３００のヒンジスリーブを、開口枠１００に取付けたヒンジｔの下部側であるヒンジスリーブに設けたヒンジピンへと差し込んで、右扉体３００を開口枠１００に取り付ける。
【０１９７】
なお、図１２（Ａ）に示すように、右扉体３００を取り付けるとき、取手部ｐのハンドルを回転して略水平方向として、下端部４１０を上位置に保持した状態で取り付けるのが好ましい。そうすることで、右扉体３００を開口枠１００へ取り付けるときに、下端部４１０が下枠部１４０に接触することを防止することができ、右扉体３００を容易に開口枠１００へと取り付けることができる。
【０１９８】
なお、移動機構４２０、接続機構４３０および下端部４１０が設けられた外板構成体３７０を、ヒンジｔを介してハウジングＨに取り付けた後に、内板構成体３６０を外板構成体に取付けてもよい。
【０１９９】
このヒンジ扉の取付方法によれば、移動機構４２０および接続機構４３０を外板構成体２７０、３７０に取り付けた後に内板構成体２６０、３６０を掛けるように係合するため、移動機構４２０および接続機構４３０の取付けを容易にすることができる。また、左扉体２００および右扉体３００の構造を簡素化することができる。
【０２００】
以上のように、本実施形態に係るヒンジ扉によれば、移動機構４２０により下端部４１０を上位置と下位置とに適宜移動させることにより、本体部を持ち上げて支えつつ開閉することなく、容易に左扉体２００および右扉体３００を開閉できる。かつ左扉体２００および右扉体３００の底辺と、開口２の底辺との間の隙間からの洗浄水の漏れを防止することができる。また、ヒンジ扉の洗浄装置への取り付けを容易にした上で、左扉体２００および右扉体３００の構造を簡素化することができる。また、洗浄装置の清掃時に、洗浄水、清掃に用いた水、および残菜の床面への落下を抑止することができる。
【０２０１】
（実施形態２）
次に、本発明の実施形態２について、図１８（Ａ）〜（Ｂ）および図１９（Ａ）〜（Ｂ）を用いて説明する。
【０２０２】
実施形態１と異なるのは、図２における上枠部１１０および下枠部１４０を略半分の長さとし、左扉体２００とそのヒンジｔを削除して右扉体３００のみとして、いわゆる片開き扉としたところである。そして、扉体７００を、上下に間隔をおいて２つ取り付けた抜き差し蝶番であるヒンジｔにより、右枠部６３０へ開閉自在となるように取り付けたものである。
【０２０３】
また、扉体７００をいわゆる片開き扉とすることで、実施形態１の図５（Ａ）〜（Ｂ）における左止水部５２０に関する構成、および左側止水部５２０が実施形態１と異なる。以下に実施形態１と異なる左側止水部５２０について説明する。
【０２０４】
（左枠部）
図１８（Ｂ）に示すように、左枠部６２０は、上下方向に同一の断面形状が連続するように形成され、上端で上枠部６１０の左端に連続し、また、下端で下枠部６４０の左端に連続する。
【０２０５】
また、図１９（Ａ）に示すように、左枠部６２０は、ハウジングＨの側面左部２０と、側面左部２０の右端から奥方向に延在する第１の左枠延在部６２１と、第１の左枠延在部６２１の奥端から右方向に延在する第２の左枠延在部６２２とを備える。本実施形態において、第１および第２の左枠延在部６２１、６２２は、ハウジングＨの側面左部２０から連続して一枚の板状部材が折り曲げられ、上下方向に同一の断面形状が連続するように形成される。
【０２０６】
また、左枠部６２０は、第１の左枠延在部６２１に沿って手前から奥方向に延在する第３の左枠延在部６２３と、第３の左枠延在部６２３の奥端から右方向に延在する第４の左枠延在部６２４と、第４の左枠延在部６２４の右端から奥方向に延在する第５の左枠延在部６２５と、第５の左枠延在部６２５の奥端から右方向に延在する第６の左枠延在部６２６と、第６の左枠延在部６２６の右端から手前方向に延在する第７の左枠延在部６２７とを備える。
【０２０７】
第３および第４の左枠延在部６２３、６２４は、左枠Ｌ字状部６２８を形成する。左枠Ｌ字状部６２８は、上下方向に同一の断面形状が連続するように形成される。第４の左枠延在部６２４と第２の左枠延在部６２２とを面で接触させた上で、第３の左枠延在部６２３と第１の左枠延在部６２１とを面で接触させて、ボルトとナットのような結合手段（図示なし）により、第３の左枠延在部６２３と第１の左枠延在部６２１とを結合する。
【０２０８】
第５〜第７の左枠延在部６２５〜６２７は、手前方向に開放する左枠コ字状部６２９を形成する。本実施形態において、第３〜第７の左枠延在部６２３〜６２７は、一枚の板状部材を折り曲げ、上下方向に同一の断面形状が連続するように形成されている。
【０２０９】
（扉体）
図１８（Ａ）および図１９（Ｂ）に示すように、扉体７００は、実施形態１の右扉体３００と同様に、内板構成体７６０および外板構成体７７０からなる本体部７８０と、内板構成体７６０の奥側に設けられた水返部７９０と、本体部７８０の外板構成体７７０に設けられた下端部８１０、移動機構（図示なし）、接続機構（図示なし）とを備える。また、扉体７００は、内面７０１および外面７０２を有する。
【０２１０】
扉体７００は、閉じられた状態で、上枠部６１０に対応する扉体上部７１０と、左枠部６２０に対応する扉体左部７２０と、ヒンジｔを介して右枠部６３０に取り付けられる扉体右部７３０と、下枠部６４０に対応する扉体下部７４０とを有する。
【０２１１】
（左側止水部）
図１９（Ｂ）に示すように、扉体左部７２０は、扉体７００の内面７０１に沿って左右方向に延在する扉体左部結合板部７２１と、扉体左部結合板部７２１の左端から奥方向に延在する扉体左部延在部７２２とを備える。扉体左部結合板部７２１と扉体左部延在部７２２とは扉体左部Ｌ字状部７２３を形成する。本実施形態において、扉体左部Ｌ字状部７２３は、一枚の板状部材を折り曲げて形成されており、折り曲げられた形状を維持して上下方向に同一の断面形状が連続するように形成されている。
【０２１２】
扉体左部７２０は、扉体７００が閉じられた状態で、左枠部６２０に近接する。扉体左部７２０と左枠部６２０とは、開閉を容易にするように間隙６０を形成する。左枠部６２０の第７の左枠延在部６２７と、扉体左部Ｌ字状部７２３の扉体左部延在部７２２とが当接または近接し、扉体７００の内面７０１は、第４の左枠延在部６２４に当接する。このように、扉体左部７２０は、左枠部６２０と共同して、いわゆるラビリンス構造の左側止水部（止水部）９２０を形成する。
【０２１３】
ヒンジ扉３は、実施形態１のヒンジ扉１の右扉体３００と同様に動作し、同様の作用を有する。実施形態１のヒンジ扉１の右扉体３００と異なる点として、図１８（Ｂ）に示すように、左側止水部９２０において、間隙６０は、奥側で第４の左枠延在部６２４が扉体７００の内面７０１に当接して封鎖される。また、扉体左部７２０の扉体左部延在部７２２と、左枠部６２０の第７の左枠延在部６２７とは当接または近接する。これにより、扉体左部７２０と左枠部６２０とが近接する部位は、いわゆるラビリンス構造により、左側止水部９２０が形成され、隙間６０から洗浄水が漏れ出ないように止水することができる。
【０２１４】
実施形態１のヒンジ扉１と同様に、下枠部６４０に取付けたブラケットｂは、右扉体７００を、所定の位置で閉じることができるように位置決めする。
【０２１５】
扉体７００を閉じる所定の位置は、右扉体７００を閉じることで、左側止水部９２０に加え、上側止水部（図示なし）と右側止水部（図示なし）とが形成される位置である。また、実施形態１で記載した、下端部４１０を下枠樋状部１４７へ差し込むと、第３の下端部延在部４１３が第５の下枠延在部１４５に当接する位置となるという作用とその効果も同様に備えている。
【０２１６】
これにより、本実施形態のヒンジ扉３は、洗浄空間Ｓ内で噴射された洗浄水を、開口枠６００と扉体７００との間の隙間からハウジングＨの外側へと漏らさないようにする上側止水部と、左側止水部９２０と、右側止水部とを形成する。これら止水部を形成しつつ、下側止水部（図示なし）の止水性を向上させることができるものである。
【０２１７】
また、実施形態１で記載した、下端部４１０を下枠樋状部１４７へと差し込むことで、上側止水部５１０と、左側止水部５２０と、右側止水部５３０とでハウジングＨの外側へと洗浄空間Ｓ内で噴射された洗浄水を漏らさないようにした上に、下側止水部５４０の止水性を向上させつつ、ヒンジ扉１を施錠することができるという作用とその効果も同様に備えるものである。
【０２１８】
これにより、洗浄空間Ｓで被洗浄物Ｇを洗浄している間に誤って扉体を開けることや、洗浄空間Ｓで噴射される洗浄水の圧力によって扉体が開くことを防止し、洗浄空間Ｓから洗浄水を飛散させて床面を濡らすことや、作業者に飛散し衣服を汚すことを防止することができる。
【０２１９】
（変形例１）
次に、実施形態１に係るヒンジ扉１の変形例１を説明する。変形例１の説明において、説明を簡単にするために、実施形態１との相違点のみについて説明する。以下の説明では、右扉体３００を例に説明するが、変形例は、他の扉体、例えば左扉体２００に適用されてもよい。
【０２２０】
図２０に示すように、本変形例に係る下枠部１１４０および下端部１４１０は、右扉体３００に設けられ、実施形態１の下枠部１４０および下端部４１０に対して断面形状が相違し、異なる下側止水部（止水部）９４０を形成する。
【０２２１】
下枠部１１４０は、ハウジングＨの側面下部４０を形成するように上方に延在する第１の下枠延在部１１４１と、第１の下枠延在部１１４１の上端から奥方向および下方に延在する第２の下枠延在部１１４２と、第２の下枠延在部１１４２の奥端から下方向に延在する第３の下枠延在部１１４３と、第１の下枠延在部１１４１の下端から奥方向に延在する第４の下枠延在部１１４４とを備える。第１〜第４の下枠延在部１１４１〜１１４４は、一枚の板状部材が折り曲げられ、左右方向に同一の断面形状が連続するように形成されている。
【０２２２】
下端部１４１０は、上下方向に延在する下端部延在部１４１１を備える。下端部１４１０は左右方向に同一の断面形状が連続するように形成される矩形状の板状部材である。下端部延在部１４１１は、外板外周枠３７２の左右側の面に有するスリット状の溝部３７５に差し込まれた状態で、右扉体３００に取り付けられる。これにより、下端部１４１０を上下動させても下端部延在部１４１１が外板外周枠３７２に干渉することなく、下端部１４１０を上下動させることができる。
【０２２３】
下端部１４１０は、右扉体３００が閉じられた状態で、移動機構４２０によって下方に移動すると、下端部延在部１４１１の手前面が第３の下枠延在部１１４３に当接する。これにより、下側止水部（止水部）９４０が形成され、右扉体３００と下枠部１１４０との間の隙間から洗浄水が漏れ出ないように止水することができる。また、下端部１４１０は下枠部１１４０と当接し、右扉体３００が開く方向に係合して、施錠状態となる。
【０２２４】
下端部１４１０を下位置に移動させたとき、下端部延在部１４１１の下端は、第４の下枠延在部１１４４に近接する。なお、下端部延在部１４１１の下端を第４の下枠延在部１１４４に当接させてもよく、当接させた場合、下側止水部９４０の止水性を向上させることができる。
【０２２５】
（変形例２）
次に、実施形態１に係るヒンジ扉１の変形例２を説明する。変形例２の説明において、説明を簡単にするために、実施形態１との相違点のみについて説明する。以下の説明では、右扉体３００を例に説明するが、変形例は、他の扉体、例えば左扉体２００に適用されてもよい。
【０２２６】
図２１に示すように、変形例２に係る水返部２３９０は、右扉体３００に設けられ、実施形態１の水返部３９０に対して長さ方向に直交する方向の断面形状が相違する。水返部２３９０は、上下方向に延在し、内板部３６１に結合される水返結合部２３９９と、水返結合部２３９９の下端から奥方向および下方向の斜めに延在する第１の水返延在部２３９１と、第１の水返延在部２３９１の奥端から下方向に延在する第２の水返延在部２３９２とを備える。第２の水返延在部２３９２は、右扉体３００の開閉の障害にならない高さまで上下方向に延在している。
【０２２７】
本変形例において、水返結合部２３９９と第１および第２の水返延在部２３９１、２３９４とは、一枚の板状部材を折り曲げ、左右方向に同一の断面形状が連続するように形成している。水返部２３９０の奥端で上下方向に延在する第２の水返延在部２３９２は、下端部４１０よりも奥方向に突出している。
【０２２８】
なお、洗浄空間Ｓ内で飛散する洗浄水の量が少ない場合には、変形例１および変形例２の構成としてもよく、扉体である左扉体２００および右扉体３００の底辺と下枠部１１４０との間の隙間から、洗浄空間Ｓ内で飛散した洗浄水がハウジングＨの外側へと漏れ出すことを防止することができる。また、変形例１および変形例２は、実施形態１および実施形態２に比較して、下端部１４１０または水返部２３９０を簡素な構成とすることにより、製作を容易とすることができる。
【０２２９】
実施形態１、実施形態２、変形例１および変形例２において、各構成は、金属を材料にする。特に、洗浄水が飛散する部位には、ステンレスの材料が用いられる。したがって、各構成は、特別に強力な力を加えなければ変形することはない。しかし、各構成の一部を弾性のある樹脂等の材料としてもよい。なお、マグネットキャッチにより吸着される箇所は、磁性体であるステンレスの材料、例えばＳＵＳ４３０を使用する。
【０２３０】
但し、上記各実施形態および変形例に示す構成は構成要素の具体例を挙げたものであり、各構成、形状、又は取り付け態様は本発明の趣旨を逸脱しない限り、実施形態および変形例として示すものに限定されることなく、種々の変形ないし変更が可能である。
【産業上の利用可能性】
【０２３１】
被洗浄物は食器類等に限られず、工業製品を被洗浄物とする洗浄装置のヒンジ扉に展開することができる。
【符号の説明】
【０２３２】
Ｇ          被洗浄物
Ｄ          搬送装置
Ｈ          ハウジング
Ｎ          ノズル
Ｒ          再帰流路
Ｓ          洗浄空間
Ｔ          洗浄タンク
Ｗ          洗浄装置
ｂ          ブラケット
ｉ          中央線
ｋ          収容空間
ｍ          マグネットキャッチ
ｐ          取手部
ｑ          スプロケット
ｔ          ヒンジ部
ｖ          枠
１          ヒンジ扉
２          開口
３          ヒンジ扉
４          開口
１０        上面
２０        側面左部
２１        間隙
３０        側面右部
３１        間隙
４０        側面下部
５０        間隙
６０        間隙
１００      開口枠
１１０      上枠部
１１１      第１の上枠延在部
１１２      第２の上枠延在部
１１３      第３の上枠延在部
１１４      上枠コ字状部
１２０      左枠部
１２１      第１の左枠延在部
１２２      第２の左枠延在部
１２３      第３の左枠延在部
１２４      第４の左枠延在部
１２５      第５の左枠延在部
１２６      左枠平面
１２７      左枠段部
１２８      左枠Ｌ字状部
１３０      右枠部
１３１      第１の右枠延在部
１３２      第２の右枠延在部
１３３      第３の右枠延在部
１３４      第４の右枠延在部
１３５      第５の右枠延在部
１３６      右枠平面
１３７      右枠段部
１３８      右枠Ｌ字状部
１４０      下枠部
１４１      第１の下枠延在部
１４２      第２の下枠延在部
１４３      第３の下枠延在部
１４４      第４の下枠延在部
１４５      第５の下枠延在部
１４６      下枠Ｌ字状部
１４７      下枠樋状部
２００      左扉体
２０１      内面
２０２      外面
２１０      左扉体上部
２２０      左扉体左部
２３０      左扉体右部
２３１      第１の左扉体右部延在部
２３２      第２の左扉体右部延在部
２３３      第３の左扉体右部延在部
２３４      第４の左扉体右部延在部
２３５      左扉体右部コ字状部
２３９      左扉体右部結合部
２４０      左扉体下部
２６０      内板構成体
２６２      内板外周枠
２７０      外板構成体
２７２      外板外周枠
２８０      本体部
３００      右扉体
３０１      内面
３０２      外面
３１０      右扉体上部
３２０      右扉体左部
３２１      右扉体左部結合部
３２２      右扉体左部延在部
３２３      右扉体左部Ｌ字状部
３３０      右扉体右部
３４０      右扉体下部
３６０      内板構成体
３６１      内板部
３６２      内板外周枠
３６３      把持部
３７０      外板構成体
３７１      外板部
３７２      外板外周枠
３７３      段付きピン（係合凸部）
３７５      溝部
３８０      本体部
３９０      水返部
３９１      第１の水返延在部
３９２      第２の水返延在部
３９３      第３の水返延在部
３９４      第４の水返延在部
３９５      水返樋状部
３９６      水返流水口
３９７      流水防止壁
３９９      水返結合部
４１０      下端部
４１１      第１の下端部延在部
４１２      第２の下端部延在部
４１３      第３の下端部延在部
４１４      第４の下端部延在部
４１５      第５の下端部延在部
４１６      下端部樋状部
４１７      下端部返し部
４１８      下端部流水口
４１９      流水防止壁
４２０      移動機構
４２１      移動部
４２２      案内部
４２３      横桟部
４２４      シャフト
４２５      軸部
４２６      ローラ
４２７      ブラケット部
４２８      孔
４２９      ナット
４３０      接続機構
４３１      軸部
４３２      回転部
４３３      軸部
４３４      接続部
４３５      突出部
４５０      横桟折曲部
４５１      ネジ穴
４５２      上端折曲部
５１０      上側止水部（止水部）
５２０      左側止水部（止水部）
５３０      右側止水部（止水部）
５４０      下側止水部（止水部）
５５０      中央側止水部（止水部）
６００      開口枠
６１０      上枠部
６２０      左枠部
６２１      第１の左枠延在部
６２２      第２の左枠延在部
６２３      第３の左枠延在部
６２４      第４の左枠延在部
６２５      第５の左枠延在部
６２６      第６の左枠延在部
６２７      第７の左枠延在部
６２８      左枠Ｌ字状部
６２９      左枠コ字状部
６３０      右枠部
６４０      下枠部
７００      扉体
７０１      内面
７０２      外面
７１０      扉体上部
７２０      扉体左部
７２１      扉体左部結合板部
７２２      扉体左部延在部
７２３      扉体左部Ｌ字状部
７３０      扉体右部
７４０      扉体下部
７６０      内板構成体
７７０      外板構成体
７８０      本体部
７９０      水返部
８１０      下端部
９２０      左側止水部（止水部）
９４０      下側止水部（止水部）
１１４０    下枠部
１１４１    第１の下枠延在部
１１４２    第２の下枠延在部
１１４３    第３の下枠延在部
１１４４    第４の下枠延在部
１４１０    下端部
１４１１    下端部延在部
２３９０    水返部
２３９１    第１の水返延在部
２３９２    第２の水返延在部
２３９９    水返結合部
【図１】
2018191794.tif 000003
【図２】
2018191794.tif 000004
【図３】
2018191794.tif 000005
【図４】
2018191794.tif 000006
【図５】
2018191794.tif 000007
【図６】
2018191794.tif 000008
【図７】
2018191794.tif 000009
【図８】
2018191794.tif 000010
【図９】
2018191794.tif 000011
【図１０】
2018191794.tif 000012
【図１１】
2018191794.tif 000013
【図１２】
2018191794.tif 000014
【図１３】
2018191794.tif 000015
【図１４】
2018191794.tif 000016
【図１５】
2018191794.tif 000017
【図１６】
2018191794.tif 000018
【図１７】
2018191794.tif 000019
【図１８】
2018191794.tif 000020
【図１９】
2018191794.tif 000021
【図２０】
2018191794.tif 000022
【図２１】
2018191794.tif 000023